(57)【要約】  本開示の様々な態様は、植物材料から油を抽出するための方法およびシステムに関連する。システムは、ガス移動デバイス、抽出室、および、凝縮面を含んでよい。植物材料の油は、抽出室において揮発され、次に、ガス移動デバイスによって、凝縮面に行き渡り、収集されてよい。様々な実施形態において、システムおよび方法は、溶剤を殆ど又は全く用いない、植物材料からの油の抽出を可能にする。
2019518590.tif 000002
【特許請求の範囲】
【請求項１】
植物材料から油を抽出する方法であって、前記方法は、
植物材料から油を抽出するためのシステムを提供する段階であって、前記システムは、（ａ）前記システム全体にガスストリームを行き渡らせるよう動作可能なガス移動デバイスと、（ｂ）前記ガスストリームが抽出室を通るよう方向付けられるように、前記ガス移動デバイスと連通する前記抽出室と、（ｃ）前記ガスストリームが凝縮面に方向付けられるように、前記ガス移動デバイスと連通する前記凝縮面を含む遠心分離器とを含む、段階と、
前記抽出室に植物材料を提供する段階と、
前記抽出室を通って前記ガスストリームを行き渡らせる段階と、
油が前記植物材料から前記ガスストリーム内に抽出されるよう、前記植物材料から前記油を揮発させる段階と、
前記油を含む前記ガスストリームを冷却する段階と、
前記油を含む前記ガスストリームを前記遠心分離器に行き渡らせる段階と、
前記ガスストリームを前記遠心分離器の前記凝縮面に接触させることにより前記ガスストリームから前記油の一部を捕集して取り除く段階と、
前記凝縮面から前記油の一部を収集することにより、収集された油を生成する段階と、
を備え、
前記ガスストリームは、２５重量％未満の溶剤蒸気を含み、
前記ガスストリームから捕集および取り除かれた前記油の一部は、２５重量％未満の溶剤を含み、
前記収集された油は、２５重量％未満の溶剤を含む、
方法。
【請求項２】
前記ガスストリームを前記凝縮面に接触させることは、前記油の蒸気を前記凝縮面に接触させることを含み、
前記ガスストリームを前記凝縮面に接触させることにより、前記油の一部を前記凝縮面上に凝縮させる、
請求項１に記載の方法。
【請求項３】
前記ガスストリームを冷却する段階の後に前記ガスストリーム内に混入する油滴に、前記油の一部を凝縮させる段階を更に備え、
前記ガスストリームを前記凝縮面に接触させることは、前記油滴を前記凝縮面に接触させることを含み、
前記ガスストリームを前記凝縮面に接触させることにより、前記凝縮面上に前記油滴を集める、
請求項１に記載の方法。
【請求項４】
前記遠心分離器はブレードと軸とを含み、
前記凝縮面は前記ブレードを含み、
前記方法は前記ブレードを前記軸を中心に回転させる段階を備える、
請求項１から３のいずれか一項に記載の方法。
【請求項５】
前記ガスストリームを前記凝縮面に接触させることにより、前記ブレード上に前記油の一部を集め、
前記方法は更に、前記油の一部が流れることに対する抵抗よりも大きな遠心力をもたらす温度および角速度に、前記ブレードを維持する段階を備える、
請求項４に記載の方法。
【請求項６】
前記凝縮面はブレード以外の前記遠心分離器の表面を含む、請求項１から５のいずれか一項に記載の方法。
【請求項７】
前記凝縮面は前記遠心分離器のハウジングを含む、請求項６に記載の方法。
【請求項８】
前記凝縮面は前記遠心分離器のブレードを含まない、請求項６または７に記載の方法。
【請求項９】
前記遠心分離器は前記ガス移動デバイスである、請求項１から８のいずれか一項に記載の方法。
【請求項１０】
前記遠心分離器および前記ガス移動デバイスは、前記システムの別個の構成要素である、請求項１から８のいずれか一項に記載の方法。
【請求項１１】
前記ガス移動デバイスは圧縮空気又は液化ガスを含む、請求項１０に記載の方法。
【請求項１２】
植物材料から油を抽出する方法であって、前記方法は、
植物材料から油を抽出するためのシステムを提供する段階であって、前記システムは、（ａ）前記システム全体にガスストリームを行き渡らせるよう動作可能なガス移動デバイスと、（ｂ）前記ガスストリームが抽出室を通るよう方向付けられるように、前記ガス移動デバイスと連通する前記抽出室と、（ｃ）前記ガスストリームが凝縮面に方向付けられるように、前記ガス移動デバイスと連通する前記凝縮面とを含む、段階と、
前記抽出室に植物材料を提供する段階と、
前記抽出室を通って前記ガスストリームを行き渡らせる段階と、
油が前記植物材料から前記ガスストリーム内に抽出されるよう、前記植物材料から前記油を揮発させる段階と、
前記油を含む前記ガスストリームを冷却する段階と、
前記油を含む前記ガスストリームを前記凝縮面に行き渡らせる段階と、
前記ガスストリームを前記凝縮面に接触させることにより、前記ガスストリームから前記油の一部を捕集して取り除く段階と、
前記油の一部が流れることに対する抵抗より大きい重力の平行成分を発生させる角度および温度に前記凝縮面を維持する段階と、
前記凝縮面から前記油の一部を収集することにより、収集された油を生成する段階と、
を備え、
前記ガスストリームは、２５重量％未満の溶剤蒸気を含み、
前記ガスストリームから捕集および取り除かれた前記油の一部は、２５重量％未満の溶剤を含み、
前記収集された油は、２５重量％未満の溶剤を含む、
方法。
【請求項１３】
前記凝縮面の角度を重力に対して約−９０°〜約６０°に維持する段階を備える方法であって、
０°未満〜約−９０°までの表面は天井であり、
０°の表面は重力に平行な壁であり、
０°より大きく９０°未満の表面は傾斜面である、
請求項１２に記載の方法。
【請求項１４】
前記凝縮面の角度を重力に対して約−４５°〜約４５°に維持する段階を備える、請求項１３に記載の方法。
【請求項１５】
前記凝縮面の温度を、約１００〜約３００°Ｆ（約３７．３３８〜約１４８．８８９℃）、約１１０〜約２８９°Ｆ（約４３．３３３〜約１４２．７７８℃）、約１２０〜約２８０°Ｆ（約４８．８８９〜約１３７．７７８℃）、約１２０〜約１５０°Ｆ（約４８．８８９〜約６５．５５６℃）、約２９０〜約３１４°Ｆ（約１４３．３３３〜約１５６．６６７℃）、約３１６〜約３５５°Ｆ（約１５７．７７８〜約１７９．４４４℃）、約３２０〜約３４０°Ｆ（約１６０．０００〜約１７１．１１１℃）、約３５７〜約３６４°Ｆ（約１８０．５５６〜約℃１８４．４４４）、又は約３６６〜約４２７°Ｆ（約１８５．５５６〜約２１９．４４４℃）に維持する段階を備える、請求項１２から１４のいずれか一項に記載の方法。
【請求項１６】
植物材料から油を抽出する方法であって、前記方法は、
植物材料から油を抽出するためのシステムを提供する段階であって、前記システムは、（ａ）前記システム全体にガスストリームを行き渡らせるよう動作可能なガス移動デバイスと、（ｂ）前記ガスストリームが抽出室を通るよう方向付けられるように、前記ガス移動デバイスと連通する前記抽出室と、（ｃ）前記ガスストリームが凝縮面に方向付けられるように、前記ガス移動デバイスと連通する前記凝縮面とを含む、段階と、
前記抽出室に植物材料を提供する段階と、
前記抽出室を通って前記ガスストリームを行き渡らせる段階と、
油が前記植物材料から前記ガスストリーム内に抽出されるよう、前記植物材料から前記油を揮発させる段階と、
前記油を含む前記ガスストリームを冷却する段階と、
ガスストリームを前記凝縮面に接触させる段階であって、前記凝縮面は、前記ガスストリームから前記油の一部を捕集および取り除くために十分な静電荷を含む、段階と
前記凝縮面から前記油の一部を収集することにより、収集された油を生成する段階と、
を備え、
前記ガスストリームは、２５重量％未満の溶剤蒸気を含み、
前記ガスストリームから捕集および取り除かれた前記油の一部は、２５重量％未満の溶剤を含み、
前記収集された油は、２５重量％未満の溶剤を含む、
方法。
【請求項１７】
前記油を揮発する段階の後に前記ガスストリーム内に混入する油滴に、前記油の一部を凝縮させる段階と、
前記油滴に静電荷を帯電させる段階と
を更に備え、
前記ガスストリームを前記凝縮面に接触させることは、帯電した前記油滴を前記凝縮面に接触させることを含む、
請求項１６に記載の方法。
【請求項１８】
植物材料から油を抽出する方法であって、前記方法は、
植物材料から油を抽出するためのシステムを提供する段階であって、前記システムは、（ａ）前記システム全体にガスストリームを行き渡らせるよう動作可能なガス移動デバイスと、（ｂ）前記ガスストリームが抽出室を通るよう方向付けられるように、前記ガス移動デバイスと連通する前記抽出室と、（ｃ）前記ガスストリームが凝縮面に方向付けられるように、前記ガス移動デバイスと連通する前記凝縮面とを含む、段階と、
前記抽出室に植物材料を提供する段階と、
前記抽出室を通って前記ガスストリームを行き渡らせる段階と、
油が前記植物材料から前記ガスストリーム内に抽出されるよう、前記植物材料から前記油を揮発させる段階と、
前記油を含む前記ガスストリームを冷却する段階と、
前記油を含む前記ガスストリームを前記凝縮面に行き渡らせる段階と、
前記ガスストリームを前記凝縮面に接触させることにより前記ガスストリームから前記油の一部を捕集して取り除く段階と、
前記凝縮面から前記油の一部を収集することにより、収集された油を生成する段階と、
を備え、
前記凝縮面は、フィルタ、防曇パッド、又は、充填材料を含む濾過部であり、
前記ガスストリームは、２５重量％未満の溶剤蒸気を含み、
前記ガスストリームから捕集および取り除かれた前記油の一部は、２５重量％未満の溶剤を含み、
前記収集された油は、２５重量％未満の溶剤を含む、
方法。
【請求項１９】
前記凝縮面の温度は、約１００〜約３００°Ｆ（約３７．３３８〜約１４８．８８９℃）、約１１０〜約２８９°Ｆ（約４３．３３３〜約１４２．７７８℃）、約１２０〜約２８０°Ｆ（約４８．８８９〜約１３７．７７８℃）、約１２０〜約１５０°Ｆ（約４８．８８９〜約６５．５５６℃）、約２９０〜約３１４°Ｆ（約１４３．３３３〜約１５６．６６７℃）、約３１６〜約３５５°Ｆ（約１５７．７７８〜約１７９．４４４℃）、約３２０〜約３４０°Ｆ（約１６０．０００〜約１７１．１１１℃）、約３５７〜約３６４°Ｆ（約１８０．５５６〜約℃１８４．４４４）、又は約３６６〜約４２７°Ｆ（約１８５．５５６〜約２１９．４４４℃）である、請求項１から１８のいずれか一項に記載の方法。
【請求項２０】
前記油を含む前記ガスストリームを冷却する段階は、前記ガスストリームを約１００〜約３００°Ｆ（約３７．３３８〜約１４８．８８９℃）、約１１０〜約２８９°Ｆ（約４３．３３３〜約１４２．７７８℃）、約１２０〜約２８０°Ｆ（約４８．８８９〜約１３７．７７８℃）、約１２０〜約１５０°Ｆ（約４８．８８９〜約６５．５５６℃）、約２９０〜約３１４°Ｆ（約１４３．３３３〜約１５６．６６７℃）、約３１６〜約３５５°Ｆ（約１５７．７７８〜約１７９．４４４℃）、約３２０〜約３４０°Ｆ（約１６０．０００〜約１７１．１１１℃）、約３５７〜約３６４°Ｆ（約１８０．５５６〜約℃１８４．４４４）、又は約３６６〜約４２７°Ｆ（約１８５．５５６〜約２１９．４４４℃）まで冷却する段階を含む、請求項１から１９のいずれか一項に記載の方法。
【請求項２１】
前記油を含む前記ガスストリームを冷却する段階は、前記ガスストリームを前記凝縮面の温度よりも少なくとも約５°Ｆ（−１５．０００℃）、１０°Ｆ（−１２．２２２℃）、１５°Ｆ（−９．４４４℃）、２０°Ｆ（−６．６６７℃）、２５°Ｆ（−３．８８９℃）、３０°Ｆ（−１．１１１℃）、３５°Ｆ（１．６６７℃）、４０°Ｆ（４．４４４℃）、４５°Ｆ（７．２２２℃）、又は５０°Ｆ（１０．０００℃）だけ低い温度まで冷却する段階を含む、請求項１から２０のいずれか一項に記載の方法。
【請求項２２】
前記油を含む前記ガスストリームを冷却する段階は、前記ガスストリームを前記凝縮面の温度よりも少なくとも約５°Ｆ（−１５．０００℃）、１０°Ｆ（−１２．２２２℃）、１５°Ｆ（−９．４４４℃）、２０°Ｆ（−６．６６７℃）、２５°Ｆ（−３．８８９℃）、３０°Ｆ（−１．１１１℃）、３５°Ｆ（１．６６７℃）、４０°Ｆ（４．４４４℃）、４５°Ｆ（７．２２２℃）、又は５０°Ｆ（１０．０００℃）だけ高い温度まで冷却する段階を含む、請求項１から２０のいずれか一項に記載の方法。
【請求項２３】
前記油を含む前記ガスストリームを冷却する段階は、前記凝縮面の温度とおよそ同一の温度である温度まで前記ガスストリームを冷却する段階を含む、請求項１から２０のいずれか一項に記載の方法。
【請求項２４】
前記凝縮面の温度を変更する段階を更に備える、請求項１から２３のいずれか一項に記載の方法。
【請求項２５】
前記凝縮面の温度を変更する段階は、前記凝縮面の温度を上げる段階を含み、前記温度が上がると前記油の一部が流れることに対する抵抗が低減する、又は、
前記凝縮面の温度を変更する段階は、前記凝縮面の温度を下げる段階を含み、前記温度が下がると前記油の一部が前記ガスストリームから捕集され取り除かれる速度が増加する、
のどちらか一方である、請求項２４に記載の方法。
【請求項２６】
前記油の一部の少なくとも１つの分子の沸点よりも高い温度まで前記ガスストリームを加熱する段階を更に備える、請求項１から２５のいずれか一項に記載の方法。
【請求項２７】
前記油の一部の少なくとも１つの分子の沸点よりも高い温度まで前記抽出室を加熱する段階を更に備える、請求項１から２６のいずれか一項に記載の方法。
【請求項２８】
前記沸点よりも高い温度は、約３１５°Ｆ（約１５７．２２２℃）、約３５６°Ｆ（約１８０．０００℃）、約４２８°Ｆ（約２２０．０００℃）である、請求項２６又は２７に記載の方法。
【請求項２９】
前記少なくとも１つの分子は、カンナビジオール（ＣＢＤ）、カンナビディバリン（ＣＢＤＶ）、カンナビゲロール（ＣＢＧ）、デルタ−９−テトラヒドロカンナビノール（ＴＨＣ）、デルタ−８−テトラヒドロカンナビノール、テトラヒドロカンナビバリン（ＴＨＣＶ）、カンナビノール（ＣＢＮ）、カンナビゲロール、カンナビクロメン、化学的に変換されたカンナビノイド、任意の他のカンナビノイド、リナロール、カリオフィレン、ミルセン、リモネン、フムレン、又はピネンを含む、請求項２６から２８のいずれか一項に記載の方法。
【請求項３０】
前記ガスストリーム、前記油の一部、又は前記収集された油は殆ど溶剤を含まない、請求項１から２９のいずれか一項に記載の方法。
【請求項３１】
前記ガスストリーム、前記油の一部、又は前記収集された油は実質的に溶剤を含まない、請求項３０に記載の方法。
【請求項３２】
前記ガスストリーム、前記油の一部、又は前記収集された油は溶剤を全く含まない、請求項３１に記載の方法。
【請求項３３】
前記ガスストリーム、前記油の一部、又は前記収集された油は実質的に、イソブタン、エタノール、又はクロロホルムを含まない、請求項１から３２のいずれか一項に記載の方法。
【請求項３４】
前記植物材料はヘンプ又はカンナビスを含む、請求項１から３３のいずれか一項に記載の方法。
【請求項３５】
前記植物材料は、カンナビス・サティヴァ、カンナビス・インディカ、カンナビス・ルデラリス、カンナビスの種または科を交雑したもの、のうちのいずれか、又は、２つ以上の組み合わせを含む、請求項３４に記載の方法。
【請求項３６】
前記油の一部および前記収集された油は、カンナビジオール（ＣＢＤ）、カンナビディバリン（ＣＢＤＶ）、デルタ−９−テトラヒドロカンナビノール（ＴＨＣ）、デルタ−８−テトラヒドロカンナビノール、テトラヒドロカンナビバリン（ＴＨＣＶ）、カンナビノール（ＣＢＮ）、カンナビゲロール、カンナビクロメン、化学的に変換されたカンナビノイド、任意の他のカンナビノイド、リナロール、カリオフィレン、ミルセン、リモネン、フムレン、ピネンのうちのいずれか、又は、２つ以上の組み合わせを含む、請求項１から３５のいずれか一項に記載の方法。
【請求項３７】
前記油の一部および前記収集された油はデルタ−９−テトラヒドロカンナビノール（ＴＨＣ）を含む、請求項３６に記載の方法。
【請求項３８】
前記油の一部および前記収集された油はカンナビジオール（ＣＢＤ）を含む、請求項３７に記載の方法。
【発明の詳細な説明】
【発明の概要】
【０００１】
［関連出願の相互参照］
本出願は、２０１６年５月２日に出願された米国特許仮出願第６２／３３０，５２２号明細書に基づく優先権を主張するものである。  本発明は、部分およびプロセスのシステムから成り、そのシステムは、植物材料、又は油を含む基材（本開示では、「植物材料」と一般的に称す）から、植物油、テルペノイド、オレオレジン、および／又は、樹脂（本開示では、「油」又は「植物油」と一般的に称す）を抽出するために用いられる。抽出する方法は、植物材料内に含まれる油が揮発し、植物材料から蒸気の状態で出ていくことが引き起こされるように、加熱されたガス、および／又は、特定の温度に加熱された表面に、植物材料を接触させる段階を含む。蒸気は次に、油成分の完全性を保存および保護するような方式で、収集溶剤を用いて凝縮され収集される。システムで用いられる収集溶剤は、エタノール又はエタノールと水との混合物であるのが好ましいが、水、クロロホルム、又は多数の他の適切な有機又は無機溶剤が、望まれる結果を得るために用いられてよい。収集溶剤から捕集された植物油を分離する方法は、システムの最終生成物として、実質的に精製された植物油抽出が得られる方法に含まれている。
【０００２】
非限定的な例として、本発明を用いて処理され得る多くの種類の植物材料のうちのいくつかとして、カンナビス・サティヴァ、カンナビス・インディカ、カンナビス・ルデラリス、カンナビスの様々な種または科を交雑したものとして一般的に分類され得る、ヘンプ又はカンナビスの様々な形態、又は、１又は複数の種類のカンナビス、および／又は、他の植物材料の混合物が挙げられてよい。処理される植物材料としてカンナビスが選択される場合、抽出される好ましい油には、カンナビジオール（ＣＢＤ）、カンナビディバリン（ＣＢＤＶ）、（デルタ−９−テトラヒドロカンナビノール）（ＴＨＣ）、デルタ−８−テトラヒドロカンナビノール、テトラヒドロカンナビバリン（ＴＨＣＶ）、カンナビノール（ＣＢＮ）、カンナビゲロール、カンナビクロメン、化学的に変換されたカンナビノイドまたは任意の他のカンナビノイドの様々な化学形態が含まれ得る。カンナビスから抽出され得る他の貴重なテルペノイド油には、リナロール、カリオフィレン、ミルセン、リモネン、フムレン、ピネンの様々な化学形態が含まれ得る。植物材料に接触する、加熱されたガス、および／又は、加熱された表面の温度を操作し、連続する抽出サイクルを完了することにより、様々な植物油を実質的に精製された分画へ単離することが可能である。単回抽出サイクルにおいて、様々な植物油を抽出するために、より幅広い温度範囲を利用することも可能である。任意の植物材料は、本発明によって処理され得て、抽出される油として、任意の植物油が標的にされ得ることに留意すべきである。 
【０００３】
本発明の実施形態が、植物材料から油を抽出するためのシステムを提供する。ガス移動デバイスがシステムを通してガスストリームを行き渡らせるよう動作可能であって、ガスストリームは、蒸気、固体、又は、液体の液滴が内部に混入している又はしていない状態の、空気又はガスのストリームである。抽出室が、ガスストリームが抽出室を通るよう方向付けられるように、ガス移動デバイスと連通しており、揮発油が抽出油としてガスストリーム内に配されるように、抽出室は少なくとも一部の油を植物材料から揮発させるよう動作可能である。収集室が、ガスストリームが収集室を流れるように抽出室と連通しており、収集室は、ガスストリームから少なくとも一部の抽出油を収集するよう動作可能である収集溶剤を有する。液体コレクタは、少なくとも一部の収集溶剤および抽出油を収集するための収集室と流体連通する。
【０００４】
いくつかのバージョンは、ガスストリームが当該ヒータを通って流れ、ガスストリームが加熱されるように配される、ヒータを含む。受入エリア、加熱されたガスストリームが抽出室を流れる際に油の一部を揮発させる加熱されたガスストリームによって油の一部を揮発するよう動作可能な抽出室を通るよう、加熱されたガスストリームが方向付けられるように抽出室がヒータと連通する状態で、抽出される油の揮発を引き起こすのに十分な温度まで、ヒータはガスストリームを加熱するよう動作可能であってよい。抽出室は、ガスフローは揮発室の上端に激突し、揮発室を出ていく前に、向きを逆にするように、上向きの流入チューブと、当該流入チューブの下に配された出口とを有する揮発室を含んでよい。抽出室は、ノズルを有する修正された噴霧乾燥器であってよく、混入された植物材料を有する加熱されたガスストリームはノズルを通って導入される。いくつかの例において、当該ヒータの出口、又は抽出室内において、華氏２９０〜４３０度（摂氏１４３．３３３〜２２１．１１１度）の温度範囲までガスストリームを加熱するよう、ヒータは動作可能である。特定の例において、ヒータはガスストリームを、少なくとも華氏２９０度（摂氏１４３．３３３度）の温度まで加熱するよう、ヒータは動作可能である。ヒータは、水蒸気を熱交換器に提供する水蒸気生成器を有するチューブ・イン・シェル熱交換器、又は電気ヒータであってよい。
【０００５】
いくつかのバージョンにおいては、抽出室は、少なくとも１つの加熱された表面を有する揮発室であり、油の一部は、加熱された表面に接触する植物材料によって揮発される。特定の例において、少なくとも１つの加熱された表面は、華氏２９０〜４３０度（摂氏１４３．３３３〜２２１．１１１度）の温度範囲である。いくつかの例において、少なくとも１つの加熱された表面は、少なくとも華氏２９０度（摂氏１４３．３３３度）の温度である。抽出室は接線入口を有してよい。
【０００６】
いくつかのバージョンにおいては、抽出室は入口および出口を有するフラッシュ乾燥揮発室を含み、ガスストリームが上向きに流れ、そのガスストリームによって混入された植物材料が上向きに運ばれるように、当該出口は入口の上にある。当該入口はノズルであってよい。
【０００７】
いくつかの実施形態において、抽出室は接線入口を有する揮発室を含む。
【０００８】
いくつかのバージョンにおいては、抽出室は植物材料の凝集を破壊する要素を含む。そのような要素の例としては、ボール、ビーズ、および回転要素が挙げられる。
【０００９】
いくつかの実施形態において、抽出室は、絶縁されたおよび／又は加熱されたシェルを含む。
【００１０】
特定のバージョンにおいて、抽出室は複数の揮発室を直列におよび／又は並列に含んでよい。
【００１１】
抽出室のいくつかのバージョンは抽出用の植物材料を受け取る受入エリアを有してよい。
【００１２】
特定の実施形態は更に、ガスストリームが、抽出室の少なくとも一部を形成している植物材料混入ゾーンを流れるように、ガスストリーム・ムーバと連通する植物材料混入ゾーンを含んでよい。植物材料を植物材料混入ゾーンに導入するよう動作可能な、植物材料および植物材料分割デバイスを保持するためのホッパがまた、含まれてよい。植物材料分割デバイスの例としては、オーガスクリュー、回転バルブ、および回転エアロックバルブが挙げられる。
【００１３】
いくつかの実施形態において、収集室は、抽出油の少なくとも一部が収集溶剤液滴に溶解する、および、収集溶剤液滴の少なくとも一部が液体コレクタに流れるように、収集溶剤の液滴をガスストリームに噴霧するよう動作可能な、少なくとも１つの収集溶剤噴霧器を有する。少なくとも１つの収集溶剤噴霧器は、複数の収集溶剤噴霧器であってよく、収集溶剤液滴は一般的に、１ミクロンより大きく、３００ミクロン未満の直径を有してよい。収集室の内部には、充填材料が収集溶剤で湿潤された状態で充填材料が配されてよい。
【００１４】
いくつかの実施形態において、システムは、収集室と連通する二次液体分離器を含む。
【００１５】
特定の実施形態において、システムは、加熱されたガスストリームが冷却室を流れるように、抽出室と連通する冷却室を含み、冷却室は、抽出油の少なくとも一部が液化して液滴となってガスストリーム内に混入するように、抽出油の揮発温度又はそれより低い温度まで、加熱されたガスストリームを冷却するよう動作可能である。収集室は、冷却室の下流にある。冷却室は、収集溶剤が加熱されたガスストリームを、油の凝縮温度又はそれより低い温度まで急激に冷却するように、加熱されたガスストリームに収集溶剤を噴霧するよう動作可能な高圧噴霧器を有する噴霧冷却室であってよい。噴霧された収集溶剤は液体コレクタからの収集溶剤および抽出油であってよく、システムは更に、液体コレクタから高圧噴霧器に収集溶剤および抽出油を汲み上げるよう動作可能なポンプを含んでよい。代替的に、噴霧された収集溶剤は実質的に精製された収集溶剤である。収集溶剤クーラは、高圧噴霧器用の収集溶剤を冷却するために提供されてよい。
【００１６】
特定の実施形態において、抽出室の内部表面、および抽出室の下流および収集室および／又は冷却室の上流のシステムの部分は、当該内部表面に揮発油が凝縮することを防止するのに十分な温度に維持される。いくつかの例において、凝縮を防止するために十分な温度は、華氏２９０〜４３０度（摂氏１４３．３３３〜２２１．１１１度）の範囲である。
【００１７】
いくつかの実施形態は、抽出室と連通するガスストリーム・クーラを含む。ガスストリーム・クーラはチューブ・イン・シェル熱交換器であってよい。いくつかの実施形態は、ガスストリームを受け取るように、冷却室又は抽出室と連通する凝集室を含み、当該凝集室はガスストリームにおける液滴の大きさを大きくする。凝集室の直径は、ガスストリームが凝集室で減速するよう、凝集室の上流の経路の直径より大きくてよい。凝集室は、収集溶剤蒸気を凝集室に導入するよう動作可能な、少なくとも１つの収集溶剤蒸気インジェクタを含んでよい。代替的に又は追加的に、凝集室は、加熱されたガスストリームと混合する、冷却ガスのフローを有してよい。少なくとも１つの収集溶剤蒸気インジェクタに分離システムが収集溶剤蒸気を提供している状態で、一般的に精製された収集溶剤および一般的に精製された油を提供するように、油／溶剤分離システムが、抽出油から収集溶剤を一般的に分離するために提供されてよい。
【００１８】
いくつかの実施形態において、抽出室の下流に配される経路又は室は、収集溶剤の凝縮温度未満の温度の内部表面を有し、それにより、ガスストリームに混入した収集溶剤蒸気が内部表面に凝縮し、溶剤液を形成し、溶剤液は、蓄積された油と、溶解した油を含む収集溶剤とを内部表面から洗浄し、その組み合わされた液体は液体コレクタに流れる。特定の例において、凝縮温度未満の温度は、およそ華氏８５〜１４５度（摂氏２９．４４４〜６２．７７８度）の範囲にある。いくつかの例において、抽出室の内部表面は、内部表面に揮発油が凝縮することを防止するのに十分な温度まで加熱される。
【００１９】
いくつかの実施形態は、一般的に精製された収集溶剤、および一般的に精製された油を提供するように、収集溶剤を抽出油から一般的に分離するように動作可能な油／溶剤分離システムを含む。分離システムは、蒸発デバイスを含んでよく、また、蒸発デバイスから溶剤蒸気を凝縮させる凝縮器を含んでもよい。
【００２０】
いくつかの実施形態は、抽出室と連通し、抽出室の下流の植物材料分離デバイス含んでよく、植物材料分離デバイスは、ガスストリームに混入した植物材料の少なくとも一部を、ガスストリームから分離するよう動作可能である。植物材料分離デバイスはサイクロン分離器又は遠心分離器であってよく、および／又は、当該分離器は、加熱された出口を有し、および／又は、当該分離器は、蒸気を排気するために、加熱された逆流を有する。植物材料分離デバイスはまた、二次ガスストリームを二次混入ゾーンに行き渡らせるよう動作可能な、二次混入ゾーン、および二次ガスストリーム・ムーバを含んでよい。植物材料分離デバイスは、植物材料の分離された部分を、二次混入ゾーンに提供する。二次植物材料分離器は、二次混入ゾーンと連通してよい。いくつかの例において、二次ガスストリームは、植物材料分離デバイスを流れるガスストリームの温度未満の温度を有する。ガスストリーム・フィルタは、植物材料分離デバイスと連通してよい。
【００２１】
いくつかの実施形態は、ガスストリームから収集溶剤の少なくとも一部を分離するための収集溶剤分離デバイスを含む。
【００２２】
特定の実施形態は、大気圧力より低い内部圧力を維持してシステムから外部への漏れを防止するように、システムからガスを取り除くよう動作可能なガスポンプを含む。
【００２３】
いくつかの例において、収集溶剤は、非毒性、食品グレードの溶剤、エチルアルコールと水の混合物、有機エチルアルコールと水の混合物、又は、少なくとも４０％のエチルアルコールを含む溶剤である。更なる例においては、収集溶剤は、エタノール、エタノールと水との混合物、水、クロロホルム、又は、有機溶剤又は無機溶剤である。
【００２４】
いくつかの実施形態において、収集溶剤および抽出油の少なくとも一部は、収集室に再循環される。
【００２５】
特定の実施形態において、植物材料は、生の植物の部分、又は部分的に処理された植物の部分であり、抽出油はテルペノイドを含む。
【００２６】
特定の実施形態において、システムは、実質的に閉ループシステムである。
【００２７】
いくつかのバージョンにおいて、液体コレクタは、少なくとも収集室と流体的に連通する、サンプである。
【００２８】
特定の実施形態において、植物材料は、生の植物の部分、又は部分的に処理された植物の部分であり、システムは、１又は複数の具体的な樹液、樹脂、オレオレジン、脂質、テルペノイド、又はそうでなければ、処理中の植物材料内の揮発可能な成分を抽出している。
【００２９】
いくつかの実施形態において、ガスストリームは、空気、不活性ガス、還元性ガス、およびそれらの混合物、のなかから選択されたガスである。
【００３０】
ガスストリーム・ムーバは、ブロワであってよい。
【００３１】
本発明はまた、本明細書に説明される、抽出油を提供するどの装置の使用も含む。
【００３２】
いくつかのバージョンにおいて、ガス移動デバイスは収集室の一部である。
【００３３】
いくつかの実施形態において、ヒータおよび／又は植物材料分離器および／又はガスストリーム・フィルタ４９および／又は抽出室は、絶縁される、および／又は加熱される。
【００３４】
本発明は、植物材料から油を抽出するための方法を含む。本明細書に説明されるどのシステムが用いられてもよい。植物材料が抽出室に提供されて油が植物材料から揮発し、油はガスストリーム内に抽出される。ガスストリームは、油の少なくとも一部が収集溶剤に捕集されるように、収集溶剤と接触する。油および収集溶剤の少なくとも一部が、ガスストリームから収集される。いくつかのバージョンにおいては、植物材料は加熱されたガスストリームに暴露され、ガスストリームは、油が揮発して植物材料から抽出されることを引き起こすのに十分な温度まで加熱される。
【００３５】
方法のいくつかのバージョンにおいて、接触する段階、および収集する段階は、ガスストリーム内の油の少なくとも一部が収集溶剤によって捕集され、当該収集溶剤の少なくとも一部は収集室に流れるように、ガスストリームの少なくとも一部を収集室に流す段階と、ガスストリームの少なくとも一部に収集溶剤を噴霧する段階とを含む。
【００３６】
システム又は方法のいくつかのバージョンにおいて、植物材料はカンナビスの１又は複数の種類である。いくつかのバージョンにおいては、抽出油は、カンナビジオール（ＣＢＤ）、カンナビディバリン（ＣＢＤＶ）、デルタ−９−テトラヒドロカンナビノール（ＴＨＣ）、デルタ−８−テトラヒドロカンナビノール、テトラヒドロカンナビバリン（ＴＨＣＶ）、カンナビノール（ＣＢＮ）、カンナビゲロール、カンナビクロメン、化学的に変換されたカンナビノイド、又は他のカンナビノイド、のうちの１又は複数を含む。
【００３７】
システム又は方法のいくつかのバージョンにおいて、抽出室は、およそ華氏３１５度（摂氏１５７．２２２度）の温度で動作する。
【００３８】
システム又は方法のいくつかのバージョンにおいて、抽出室は、およそ華氏３５６度（摂氏１８０．０００度）の温度で動作する。
【００３９】
システム又は方法のいくつかのバージョンにおいて、抽出室は、およそ華氏４２８度（摂氏２２０．０００度）の温度で動作する。
【００４０】
更なる実施形態および選択肢が、本開示全体にわたり説明される。
【図面の簡単な説明】
【００４１】
【図１】本発明の実施形態の概略図である。
【００４２】
【図２】本発明の代替的な実施形態の概略図である。
【００４３】
【図３】揮発室の実施形態を示しており、揮発室は、植物材料内に含まれる植物油の急激な揮発を促進するために、非常に乱流的な、かつ、非常に撹拌的な環境に一次ガスストリームに混入している植物材料を暴露するよう設計される。
【００４４】
【図４】揮発室の実施形態を示しており、揮発室はまた、植物材料内に含まれる植物油の急激な揮発を促進するために、非常に乱流的な、かつ、非常に撹拌的な環境に一次ガスストリームに混入している植物材料を暴露するよう設計される。
【００４５】
【図５】揮発室の実施形態を示しており、揮発室は、植物油の急激な揮発を誘起するために、植物材料を揮発室の加熱された壁と遠心的に接触させるよう設計される。
【００４６】
【図６】植物材料における油の急激な揮発を誘起するように改造された形態の空気式フラッシュ乾燥を用いる揮発室の実施形態を示す。
【００４７】
【図７】揮発室の実施形態を示しており、揮発室は、依然として油を多く含有する又は共に凝集している植物材料が、小さい粒子に分解され所望の油が完全に取り除かれるまで、揮発室から漏れるのを防止するよう設計される。
【００４８】
【図８ａ】揮発室の追加の実施形態の断面図を示しており、揮発室は、依然として油内に多く含有されている又は共に凝集している植物材料が、小さい粒子に分解され所望の油から完全に取り除かれるまで、揮発室から漏れるのを防止するよう設計される。
【図８ｂ】揮発室の追加の実施形態の上面図を示しており、揮発室は、依然として油内に多く含有されている又は共に凝集している植物材料が、小さい粒子に分解され所望の油から完全に取り除かれるまで、揮発室から漏れるのを防止するよう設計される。
【００４９】
【図９】いくつかの実施形態とともに用いられる、一次植物材料分離デバイスおよび二次植物材料混入部の詳細図である。
【００５０】
【図１０】湿潤充填材を含む収集室を用いる実施形態を示す。
【００５１】
【図１１】溶剤を殆ど又は全く用いない簡略化された実施形態を示す。
【００５２】
【図１２ａ】溶剤を少量のみ用いる又は全く用いず、遠心油滴分離器を用いる追加の実施形態を示す。
【００５３】
【図１２ｂ】溶剤を少量のみ用いる又は全く用いず、遠心油滴分離器として遠心ブロワを用いる実施形態を示す。
【００５４】
【図１３】溶剤を少量のみ用いる又は全く用いず、抽出される植物油の連続分画を容易にもする実施形態を示す。
【００５５】
【図１４】溶剤を少量のみ用いる又は全く用いず、抽出される植物油の連続分画を容易にし、遠心油滴分離器を用いる実施形態を示す。
【００５６】
【図１５】溶剤を少量のみ用いる又は全く用いず、抽出される植物油の連続分画を容易にし、油滴分離器として遠心ガスムーバを用いる実施形態を示す。
【００５７】
【図１６】溶剤を少量のみ用いる又は全く用いず、静電収集板を用いてガスストリームから植物油を除去することを容易にする実施形態を示す。
【００５８】
【図１７】溶剤を少量のみ用いる又は全く用いず、防曇パッドおよび／又は充填材料を用いてガスストリームから植物油を除去することを容易にする実施形態を示す。
【発明を実施するための形態】
【００５９】
図１は、本発明の実施形態の主要システム部分の概略図を示す。以下に挙げるものを内包する経路および室を含む実質的な閉回路を含むシステムが提供される。移動する一次ガスストリーム１（本開示では、「一次ガスストリーム」又は「一次ガスフロー」と一般的に称す）、一次ガスストリーム・ヒータ２、熱源を一次ガスストリーム・ヒータ２に提供する水蒸気生成器３、基材ホッパ４を含む植物材料又は油、植物材料分割デバイス５、一次植物材料混入ゾーン６、植物材料揮発室７、一次植物材料分離デバイス８、任意選択的に加熱され分離された植物材料の出口４４、ガスストリーム・フィルタ４９、一次ガスストリームを冷却収集溶剤噴霧１０に接触させるための冷却および凝縮部９、溶剤噴霧クーラ１１、ガスストリーム・クーラ５０、システムの様々な部分に圧縮された収集溶剤を提供する一次ポンプ１２、収集溶剤を貯め、ガスストリームから収集溶剤を分離するサンプエリア１３、凝集室１４、収集溶剤蒸気／水蒸気導入方法１５、一次ガスストリームを収集溶剤１７の圧縮された噴霧に接触させるための収集室１６、一次ガスストリーム１から収集溶剤噴霧の一部を取り除く分離デバイス又は分離室１８、一次ガスストリーム・ムーバ１９、収集溶剤液滴分離デバイス２０、一次ガスストリーム防曇／精製デバイス２１、収集溶剤凝縮器２２、収集溶剤凝縮器から大気へガスを通す流出専用チェックバルブ２３、システムからある分量のガスを取り除くことが可能な空気ポンプ２４、二次ガスストリーム２５（本開示では、「二次ガスストリーム」又は「二次ガスフロー」と一般的に称す）、二次ガスストリーム・ムーバ２６、二次植物材料混入ゾーン２７、二次植物材料分離デバイス２８、処理された植物材料の収集容器２９、植物材料収集容器２９を介して、システムに大気又は置換ガスを流入させる流入専用チェックバルブ３０、薄膜エバポレータ３１又は同様の急速蒸発デバイス、および植物油抽出／最終生成物収集容器３２である。所望の用途によって、これらの構成要素又は部分のうちのいずれも、システム内で直列に又は並列に、１又は複数回複製されてよく、又は、異なる効果を得るために完全に取り除かれてもよい。システム内の構成要素の順番はまた、異なる効果を得るために修正されてよい。
【００６０】
一次ガスストリーム１は、一次ガスストリーム・ムーバ１９によってシステムに行き渡る。一次ガスストリームは、大気と、窒素（ただし、これに限定されない）等の不活性ガスと、ＣＯ２（ただし、これに限定されない）等の還元性ガス、又は任意の他の適切なガス若しくは混合物等から成ってよい。一次ガスストリーム・ムーバ１９は、渦流ブロワ、ターボブロワ、圧力ブロワ、又は他の形式の遠心ブロワであるのが好ましいが、一次ガスストリーム・ムーバは、ガスを移動させることが可能な任意のメカニズム又は方法から成ってよい。ガスストリームは、異なる用途又は効果に必要とされる気圧に対して、高い、低い、又は等しい圧力に維持されてよい。一次ガスストリームがシステム内を移動する際、一次ガスストリーム・ヒータ２を通過する。一次ガスストリーム・ヒータは、水蒸気生成器３システムによって提供される特定の圧力および温度の飽和水蒸気の状態で熱を受け取るチューブ・イン・シェル熱交換器であるのが好ましいが、乾燥水蒸気、加熱されたガス、又は熱交換の他の形態が、高温油又は加熱された流体が熱交換器を通じて汲み上げられる熱流体システムを用いる段階（ただし、これに限定されない）を含んで、用いられてよい。水蒸気、ガス、又は流体によって駆動される他の形態の熱交換器がまた、用途に必要なように用いられてよい。代替的に、一次ガスストリーム・ヒータは、スター結線される加熱コイル設計（ただし、これに限定されない）を含む、ガスストリームを加熱する様々な設計の電気式加熱素子を用いてよい。一次ガスストリームが一次ガスストリーム・ヒータ２を通過する際、一次ガスストリームは、植物材料の中に存在する複数の植物油成分のうちの１つ又は複数を揮発するのに適切な温度まで加熱される。
【００６１】
加熱された後、一次ガスストリーム１はシステムの一次植物材料混入部６を通過する。植物材料の供給は、システムのホッパ部４に位置されている。ある分量の植物材料が、オーガスクリュー、回転バルブ、回転エアロックバルブ、又は任意の他の適切な分配メカニズム５を介して、一次植物材料混入部６に導入される。植物材料は、細断された又は粉末の状態でシステムに導入されるのが好ましいが、異なる用途において最も好ましい状態に応じて、他の稠度（ｃｏｎｓｉｓｔｅｎｃｙ）が用いられてもよい。植物材料は理想的又は適切な稠度まで砕かれてよく、又は、ＰＣＴ／ＩＢ２０１４／００２３８３（ただしこれに限定されない）に説明されるように、一体化グラインダがホッパ４、分割デバイス５、又は混入部６システムに組み込まれてよい。非限定的な例として、本発明を用いて処理され得る多くの種類の植物材料のうちのいくつかとして、カンナビス・サティヴァ、カンナビス・インディカ、カンナビス・ルデラリス、カンナビスの様々な種または科を交雑したものとして一般的に分類され得る、ヘンプ又はカンナビスの様々な形態、又は、１又は複数の種類のカンナビス、および／又は、他の植物材料の混合物が挙げられてよい。任意の植物材料は、本発明によって処理され得て、抽出される油として、任意の植物油が標的にされ得ることに留意すべきである。 
【００６２】
植物材料が一次混入部６に導入される際、植物材料は加熱された一次ガスストリーム１に混入する。混入された植物材料は、一次ガスストリームと共に、直列に又は並列に配置された１又は複数の揮発室７に進む。一次混入ゾーン、および、１つまたは複数の揮発室は共に抽出室を定めてもよく、いくつかの実施形態において、互いに統合してもよい。いくつかの方法が、揮発室内における植物材料の揮発を実現するべく用いられてよく、本発明は、いかなる具体的な揮発の方法に限定されるものではない。植物材料を揮発させるのに好ましいやり方は空気式フラッシュ乾燥の形態を用いることだが、噴霧乾燥、回転乾燥、空気リング乾燥、撹拌器付の回転乾燥器、分類器付の乾燥器、撹拌器付の乾燥器、層乾燥、本開示の図又は文中において提案されている揮発方法のどれでも、又は、植物材料を揮発させるのに適切な任意の他の方法を適合することが用いられてよい。これらの方法のそれぞれは、乾燥食品、医薬品、および工業材料の当業者には公知のことであろうが、本発明におけるこれらの方法の用い方は独自のものである。揮発室７のいくつかの実施形態の詳細図が図３、４、５、６、７、８ａおよび８ｂに示され、本開示の以下の部分においてより詳細に説明されるだろう。
【００６３】
揮発室７のいくつかのバージョンの内部では、一次ガスストリームによって揮発室内において維持されている温度付近、又はそれより低い温度で揮発する特定の植物油の急速な揮発を起こすために、加熱された一次ガスストリームに暴露されながら、植物材料は撹拌および循環される。他の複数の実施形態において、植物材料は揮発室内において加熱された表面と強制的に接触させられる。ヒータ２を出たガスストリームの温度は、揮発室を所望の温度に維持するために調整されてよく、ヒータ２から揮発室７までガスストリームが進む際のいかなる温度損失に対処するためにも調整されてよい。本開示の他の部分でより詳細に説明されるように、いくつかの実施形態において、揮発室を直接加熱することも可能である。殆どの実施形態において、揮発室内を特定の温度にすることを目標とする段階は、そのような温度付近又はそれより低い温度で揮発する植物油化合物を揮発させるだろう。別々の油化合物を単離するために、複数の抽出サイクルにわたって上昇する温度において植物材料を連続的に処理する方法は、具体的な油、又は具体的なグループの油を分別単離するために用いられてよい。代替的に、単回抽出サイクル内で様々な目標植物油を揮発するために、十分に高い温度が選択されてよい。そのような方法は当業者によって良く理解されるだろう。いくつかの用途において、十分な揮発機能が一次植物材料分離器８において得られるのであれば、システムから専用の揮発室を取り除くことが好ましい場合がある。これは、以下の部分においてより詳細に説明されるだろう。
【００６４】
処理される植物材料としてカンナビスが選択される場合、揮発される好ましい油には、カンナビジオール（ＣＢＤ）、カンナビディバリン（ＣＢＤＶ）、（デルタ−９−テトラヒドロカンナビノール）（ＴＨＣ）、デルタ−８−テトラヒドロカンナビノール、テトラヒドロカンナビバリン（ＴＨＣＶ）、カンナビノール（ＣＢＮ）、カンナビゲロール、カンナビクロメン、化学的に変換されたカンナビノイドまたは任意の他のカンナビノイドの様々な化学形態が含まれ得る。カンナビスから抽出され得る他の貴重なテルペノイド油には、リナロール、カリオフィレン、ミルセン、リモネン、フムレン、ピネンの様々な化学形態が含まれ得る。揮発室内において、植物材料に接触する、ガスストリームおよび／又は加熱された表面の温度を操作し、連続する抽出サイクルを完了することによって、様々な植物油を実質的に精製された分画に単離することが可能である。代替的に、単回抽出サイクルにおいて、様々な植物油を抽出するために、揮発室の中のより幅広い温度範囲を利用することが可能である。非限定的な例として、以下の揮発室温度はカンナビスから様々な種類の油を抽出するために用いられてよい。例えば、デルタ−９−テトラヒドロカンナビノールの抽出を目標とするなら、揮発室内の温度は華氏３１５度付近に維持されるべきである。殆ど精製された形態のカンナビジオールを目標とするなら、まず、デルタ−９−テトラヒドロカンナビノールを植物材料から取り除くべく、第１抽出サイクルにおいて、温度は華氏３１５度付近に維持されるべきである。次に、残留カンナビジオールを取り除くために、植物材料は華氏３５６度付近の温度において再度処理されるべきである。単回抽出サイクルにおいてデルタ−９−テトラヒドロカンナビノールおよびカンナビジオールの両方の抽出を目標とするなら、揮発室内の温度は、同一のサイクルにおいてデルタ−９−テトラヒドロカンナビノールおよびカンナビジオールの両方を揮発するために華氏３５６度付近に維持されるべきである。テトラヒドロカンナビバリンの揮発温度よりも低い揮発温度で、テトラヒドロカンナビバリンおよび全てのカンナビノイドの抽出を目標とするなら、揮発室の温度は華氏４２８度付近に維持されるべきである。異なる温度又は連続する抽出サイクルの他の組み合わせが、他の油化合物を目標とするために用いられてよい。温度および温度範囲についての更なる説明が、本開示の以下の部分で示される。
【００６５】
揮発室７内で循環した後、処理された植物材料および揮発された植物油は、一次ガスストリームと共に一次植物材料分離器８に進んでよい。当該油は、抽出油と呼ばれてよい。一次植物材料分離器８の実施形態の詳細図は、図９に示され、本開示の以下の部分において、より詳細に説明される。処理された植物材料の分離器８はサイクロン分離器又は遠心分離器であることが好ましいが、同一又は同様の結果の実現のために他の遠心分離方法又は非遠心分離方法が用いられてよい。一次植物材料分離器８は、揮発された植物油を含む一次ガスストリームから処理された植物材料を分離する。分離された植物材料は、一次植物材料分離器の下部を通って出てきて、一方、一次ガスストリームが、揮発油と共に、一次分離器の上部を通って、混入された植物材料を実質的に含まない状態で出てくる。分離された植物材料の出口および一次ガスストリームの出口の位置は、一次植物材料分離器の設計要求に応じて、配置において上下反転又は変化してもよいことに留意すべきである。出口配置の変更は、本発明の範囲外として解釈されるべきではない。
【００６６】
一次植物材料分離器８から出てくる分離された処理された植物材料は、二次混入ゾーン２７の二次ガスストリーム２５に任意選択的に混入されてよく、又は、簡潔に収集容器２９と連通してよい。二次ガスストリーム２５は、二次ガスストリーム・ムーバ２６によって行き渡り、二次ガスストリーム・ムーバ２６は好ましくは遠心ブロワである。しかしながら、二次ガスストリームを行き渡らせる任意の他の方法が用いられてよい。処理された植物材料を冷却し、これ以上の揮発または焦げ付きの発生を防止するために、二次ガスストリームは、好ましくは植物油の揮発温度よりも低い温度で維持される。処理された植物材料は二次ガスストリームと共に二次植物材料分離器２８に進む。二次分離器２８は、好ましくはサイクロン分離器又は遠心分離器（ただし、これに限定されない）であって、二次ガスストリームから処理された植物材料を分離する。しかしながら、処理された植物材料の一部又は全部を分離可能ないかなる方法も用いられてよい。処理された植物材料は二次分離器の下部を通って出てきて、処理された植物材料の収集容器２９に集められる。二次ガスストリームは、二次分離器２８の上部を通って混入された植物材料を実質的に含まない状態で出てきて、二次ガスストリームループ２５を通って再循環を続ける。店舗用掃除機によく採用されている方法等の他の形態の植物材料分離および収集が用いられてよい。代替的に、処理された植物材料を、重力の結果として落下させる、又はオーガスクリュー若しくは他の機械的デバイスによって一次植物材料分離器８の下部から容器又は処分エリアまで機械的に行き渡らせるという簡潔な方法は、二次ガスストリーム２５に必要なもの、および二次ガスストリーム・システムに必要とされる部分を避ける為に用いられてよい。そのような代替形態が用いられる場合、エアロックバルブ、フラッパバルブ、又は外部の大気から一次植物材料分離器を単離するための他の方法を提供するいくつかの用途においてであることが好ましい場合がある。一次植物材料分離器８を配置するための一つの可能な方法が図２に示されるが、他の方法もまた用いられてよい。
【００６７】
一次分離器８の上部から出てくる一次ガスストリーム１および揮発油は、ガスストリーム・フィルタ４９を任意選択的に通過してよい。ガスストリーム・フィルタ４９は、一次植物材料分離器によって捕集されなかったガスストリームから任意の又は殆どの残留微細粒子も取り除くよう、好ましくは設計されている。ガスストリーム・フィルタ４９は、加熱されたガスストリームの温度に耐えるのに適した材料から好ましくは構成される。そのような材料は、ただし、これに限定されないが、ファイバーガラスフィルタ又は濾過器、ステンレススチール又は金属フィルタ若しくは濾過器、焼結金属又はガラス繊維、セラミックフィルタ、又は任意の他の適切な材料から構成されるフィルタを含んでよい。
【００６８】
ガスストリーム・フィルタ４９から出てきた後、一次ガスストリーム１および混入した揮発油は、図示されるような冷却噴霧部９の形態をとってよい冷却室９に進む。ガスストリーム・フィルタ４９を含まない実施形態において、一次植物材料分離器８から出た後、一次ガスストリームおよび混入した揮発油は冷却噴霧部９に進んでよい。冷却噴霧部９の内部では、一次ガスストリーム１および混入した揮発油は、１又は複数の噴霧器から放出される収集溶剤の冷却噴霧１０と接触している。冷却噴霧１０は、収集溶剤を様々な噴霧器およびシステムの他のエリアにわたって移動させる一次ポンプ１２によって供給される。図１に示されるように、一次ポンプ１３はサンプエリア１３から収集溶剤を引き込むが、他の複数の実施形態においては、一次ポンプ１２は収集溶剤を他のエリア又は他の溶剤貯留器から引き込んでよい。いくつかの実施形態において、貯留器から、又は実質的に精製された収集溶剤の他の供給源から引き込む専用ポンプによって、冷却噴霧が代わって供給されることが好ましい。そのような実施形態の一例が図２に示され、そのような実施形態の更なる説明が、本開示の蒸発デバイス３１を説明する部分に含まれている。
【００６９】
収集溶剤は収集溶剤クーラ１１によって任意選択的に冷却されてよい。収集溶剤クーラ１１は、冷却噴霧部９に到達する前は収集溶剤のみを冷却するようシステム内に配置されてよく、又は、システムのどの部分にも進んでいる収集溶剤噴霧が冷却されるよう一次ポンプ１２の前又は後に配置されてよい。収集溶剤クーラ１１は、液冷式チューブ・イン・シェル熱交換器又はプレート熱交換器として好ましくは設計されるが、空冷式の設計又は任意の他の適切な熱交換デバイスが用いられてもよい。収集溶剤クーラ１１は、あらゆる種類の流体又はガスによって冷却されてよい。冷却の供給は、空冷式又は液冷式の熱交換デバイスを通して汲み上げられた液体又はガス、水道水の供給、又は任意の他の適切な方法であってよい。いくつかの実施形態において、収集溶剤システムに十分な冷却を提供することにより、冷却部９に提供するよう要求されている冷却に加えて、システム全体の冷却および温度調整を提供することが可能となることは留意すべきである。潜在的な熱交換器の設計に関しては、本明細書中のガスストリーム・クーラ５０および蒸発デバイス３１凝縮器を説明する部分において更に説明されるだろう。収集溶剤クーラ１１、ガスストリーム・クーラ５０、溶剤回収デバイス２２、および蒸発デバイス３１凝縮器に用いられている設計および冷却方法は、異なる実施形態および用途における要求に応じて各クーラ又は凝縮器デバイスが機能するために必要なように、交換可能に用いられてよい。
【００７０】
冷却噴霧部９内の冷却噴霧１０に接触すると、一次ガスストリームは冷却され、一次ガスストリーム内の揮発油は凝縮を開始する。ガスストリームおよび冷却噴霧溶剤のシステムおよび流量は、揮発油の大部分が冷却噴霧液滴の表面に直接凝縮するよう設計されることが好ましく、冷却噴霧液滴の表面において、揮発油の大部分が収集溶剤内に直接捕集され、直接又はシステムの他の構成要素を通して排出され、システムのサンプエリア１３に達する。液滴に凝縮しない油の多く又は全ては、ガスストリーム内に凝縮し、小さくかつ微小な油滴の霧になり、それが冷却部９から出て、一次ガスストリーム１内に混入する。ガスストリーム冷却および油蒸気凝縮方法として、冷却噴霧１０を用いることが好ましいが、一次ガスストリームを冷却コイルに接触させる段階、一次ガスストリームにチューブ・イン・シェル熱交換器内を通らせる段階、又は、冷却ガスを一次ガスストリームに直接導入する段階（ただし、これに限定されない）を含む、他の方法が用いられてもよい。そのように、要素１０は、これらの構成要素のいずれか、又は１よりも多いそのような構成要素を表してよい。
【００７１】
冷却噴霧部９を出ると、一次ガスストリームは任意選択的にガスストリーム・クーラ５０を通過してよい。ガスストリーム・クーラ５０は、ガスストリーム、混入する油滴、および収集溶剤および捕集された植物油の混合物を、好ましくは植物油の熱劣化を防止するのに十分な温度まで冷却する。ガスストリーム・クーラ５０は、冷媒として液体又はガスの流れを用いるチューブ・イン・シェル熱交換器として、好ましくは設計される。しかしながら、いかなる空冷又は液冷式デバイスが用いられてよく、ガスストリームを暴露して蒸気の圧縮又は吸収チラーコイルと接触させる（ただし、これに限定されない）ことを含む。液冷式の設計には、どんな冷却剤が用いられてもよく、ポンプ、蒸気の圧縮又は吸収チラーコイル、又は任意の他の適切な方法の補助により汲み上げられた、又は、移動させられた、水道水、水、又は様々な種類の冷却剤流体（ただし、これに限定されない）を含む。強制空気、受動空気、蒸気の圧縮又は吸収チラー、他の液体との熱交換、又は、任意の他の適切な方法を用いて、液体冷却剤は冷却されてよい。空冷式ガスストリーム・クーラの設計については、ガスストリーム・クーラ５０は、エアムーバの補助により移動される強制空気、蒸気の圧縮又は吸収チラーからの冷却空気、気化冷却器（ｓｗａｍｐ  ｃｏｏｌｅｒ）又は同様のデバイスからの蒸発性冷却、又は、周囲の大気との受動接触によって冷却されてよい。ガスストリーム・クーラ５０に十分な冷却を提供することにより、システム全体の冷却および温度調整を提供することが可能となることは留意すべきである。収集溶剤がガスストリーム・クーラ５０からいかなる凝縮油も洗浄するよう、および、収集溶剤および植物油が熱に暴露される時間が最小限にされるように、ガスストリーム・クーラは、冷却噴霧１０又は収集溶剤噴霧部の後に直接配置されることが好ましいが、他の配置が用いられてもよい。
【００７２】
任意選択的ガスストリーム・クーラ５０を出た後、冷却噴霧によってこれまで捕集されなかった混入する油滴の霧を含む一次ガスストリームは、サンプ部／液体分離器１３に入る。ガスストリーム・クーラ５０を含まない実施形態において、一次ガスストリームおよび混入する油滴は、冷却噴霧部９を出た後に、サンプ部１３に入ってよい。サンプ部１３は、液化された収集溶剤および抽出された植物油の混合物の大部分を、一次ガスストリームから分離し、収集溶剤および捕集された抽出植物油の保持エリアとして機能する。いくつかの用途において、一次ガスストリームからの収集溶剤の分離を促進するため、別個の液体分離器（不図示）をサンプ部１３より前に組み込むことが望ましい場合がある。そのような別個の液体分離器は、ガスストリーム流路内のＴ字又は曲がりと同程度に簡潔であり得、防曇パッド又は他のより高度な分離方法を含んでよい。いくつかの実施形態において、実質的に精製された収集溶剤を含む別個の収集溶剤貯留器（不図示）はまた、動作の際にシステムから失われた又は取り除かれたどんな収集溶剤も補充する方法として含まれてよい。
【００７３】
サンプエリア１３を通過した後、一次ガスストリームおよび混入する油滴の霧は、任意選択的に凝集部１４に入る。凝集部１４の直径は、好ましくは一次ガスストリームループ１内の他の経路よりも大きい、又はそうでなければ、一次ガスストリームの速度を減速するのに、および、一次ガスストリームおよび油滴の霧が凝集部１４内に留まる時間を最大化するのに十分大きく設計される。油滴が凝集部に留まる時間を最大化することと同様の結果を得るのに、より長い凝集部を用いること、ガスストリーム速度を調整すること、又は、複数の凝集部を並列又は直列に用いることもまた可能である。凝集部内において、ガスストリームおよび油滴の霧は、収集溶剤インジェクタ１５によって提供された収集溶剤蒸気と接触している。収集溶剤蒸気１５はクーラの表面に油滴を凝縮し、それにより、油滴は大きくなり、大きさおよび質量においても増大する。混入した油滴の大きさおよび質量が増大することにより、システムの後続部において、ガスストリームからの混入した油滴の除去が大きく改善される。好ましい収集溶剤蒸気源は、蒸発デバイス３１の蒸留収集溶剤出口からであるが、収集溶剤蒸気を提供する他の方法が用いられてもよい。代替的に、より冷たいガスストリームが凝集部に入る際に、より温かいガスストリームを混合することにより、同様の結果が実現される。そのような代替方法がＰＣＴ／ＩＢ２０１４／００２３８３において説明される。凝集部１４内の表面において凝縮又は合体するいかなる収集溶剤および他の液体も、最終的に凝集装置壁を流れ落ち、システムのサンプエリア１３に流入する。凝縮液体が、一次ガスストリームの流れに対して容易に流れてサンプエリア１３に到達できるように、好ましくは、凝集部の入口およびサンプエリア１３から凝集部１４に続く経路の直径は、一次ガスストリームの速度を減速させるのに十分大きく設計されるべきである。しかしながら、これは、例えば、ガスストリームが凝集部の上部を通って入り、底部を通って出でいく場合等の、いくつかの用途においては又はシステム内の凝集室の特定の位置に関しては要件でなくてもよい。
【００７４】
任意選択的な凝集部１４を出た後、一次ガスストリーム１および大きくなった油滴の霧は、収集室部１６に入る。凝集部を含まない実施形態において、一次ガスストリーム、および混入した油滴は、サンプ部１３を出た後、収集室部１６に入ってよい。収集室１６において、一次ガスストリームに混入した油滴は、１又は複数の収集溶剤噴霧器１７から放出される収集溶剤液滴の高圧噴霧１７を浴びる。収集溶剤液滴１７に激突された油滴はどれも収集溶剤に効果的に捕集され、収集室１６の壁に衝突し、最終的にサンプエリア１３に流れる。最小の油滴のうちのいくつかは依然残留し得るものの、収集室を出ると、大きな油滴の殆どは一次ガスストリームから取り除かれる。専用の冷却部若しくは冷却噴霧部９、又は専用の収集室１６を含まないいくつかの実施形態において、収集室部１６は冷却部９であるとみなされ得て、冷却部９は収集室部１６であるとみなされ得ることに留意すべきである。換言すれば、冷却噴霧部および収集室部の両方の機能は、システムのいくつかの実施形態において、纏められて１つの部分になり得る。これらの部が組み合わされるそのような実施形態においては、組み合わされた冷却噴霧／収集室部は、一次植物材料分離器８の直後又はガスストリーム・フィルタ４９の直後、かつ、ガスストリーム・クーラ５０の前方に位置されることが好ましい。しかしながら、他の配置が用いられてもよい。いくつかの実施形態において、冷却部は、ガスストリーム・クーラ５０、又は他の冷却デバイス若しくは冷却エリアとみなされてよいこともまた留意されるべきである。
【００７５】
一次ガスストリームは任意選択的に、二次液体分離部１８を前進する。二次液体分離部１８は、一次ガスストリームから収集溶剤の大部分を分離し、一次ガスストリーム・ムーバ１９に収集溶剤が大量に流入することを防止する。二次液体分離部１８は、ガスストリーム経路内のＴ字又は曲がりと同程度に簡潔であってよく、又はより高度な分離方法を含んでもよい。分離された収集溶剤は液体分離部１８から流れ出し、システムのサンプ部１３内に戻る。いくつかの実施形態において、混入された液体に対処する一次ガスストリーム・ムーバ１９の能力に応じて、液体分離部１８は必要でなくてもよい。他の複数の実施形態において、いくつかの液体をガスストリーム・ムーバ１９に意図的に導入し、ガスストリーム・ムーバ１９のクリーニングおよび／又は冷却を容易にすることが望ましい場合がある。
【００７６】
液体分離部１８を出る一次ガスストリームは、一次ガスストリーム・ムーバ１９に入る。液体分離部１８を含まない実施形態において、一次ガスストリームは、収集室１６を出た後に、一次ガスストリーム・ムーバ１９に入る。一次ガスストリーム・ムーバ１９は、渦流ブロワ、ターボブロワ、圧力ブロワ、又は、ガスストリームを高レベルの遠心力にする他の種類のブロワであるのが好ましいが、一次ガスストリームを行き渡らせるどんな方法が用いられてもよい。一次ガスストリーム・ムーバ１９に入ると、一次ガスストリームは大きな遠心力を受ける。システムの前述の部分で捕集されなかった、残留している小さくかつ微小な油滴および収集噴霧霧液滴の多く又は全ては、一次ガスストリーム・ムーバ１９のブレードおよびハウジングに作用する。ガスストリーム・ムーバ１９のブレードおよびハウジングに作用する油および収集溶剤液滴は、一次ガスストリームから効果的に捕集され取り除かれる。捕集された油および収集溶剤は、一次ガスストリーム・ムーバの出口から、又はガスストリーム・ムーバ内の排液口（不図示）から流れ出て、システムのサンプ部１３に最終的に到達する。いくつかの実施形態において、ガスストリーム・ムーバは、ガスストリームから混入した植物油滴を分離するための主要な方法として用いられてよい。そのような実施形態において、ガスストリーム・ムーバに収集溶剤の噴霧又はストリームが供給され、捕集された植物油をブロワブレードおよびハウジングから洗浄することを容易にすることが好ましい。そのような実施形態において、ガスストリーム・ムーバ又はガス移動デバイスは収集室の一部とみなされてよく、および／又は、ガス移動デバイスは特定のバージョンに対する収集室のみを形成してよい。システム内のガスストリーム・ムーバの配置はまた、実施形態および用途に応じて変更されてもよい。
【００７７】
いくつかの実施形態において、一次ガスストリーム・ムーバ１９から出てくる一次ガスストリームは任意選択的な液滴分離器２０に進む。他の方法が用いられてもよいが、本液滴分離器２０は、好ましくはサイクロン分離器又は遠心分離器である。液滴分離器は、一次ガスストリームから残留液滴の多く又は全てを分離する。分離された収集溶剤および油は、分離器２０からシステムのサンプエリア１３に流れ出る。
【００７８】
一次ガスストリームの一部が、主要ガスストリームループをバイパスして任意選択的な液滴分離器２０の排出チューブを通って進むことを防止するため、および、そうでなければ、システム内の圧力差が排出に影響することを防止するため、任意選択的に容積型／エアロックポンプ３３又は同様のデバイスを用いて、システムのサンプ部１３への液滴分離器２０の排出を容易にしてよい。そのようなエアロック／ポンプ３３又は同様のデバイスがまた、任意選択的な液滴分離器２０を含まない実施形態において用いられ、一次ガスストリーム・ムーバ１９からの直接の排出を容易にしてよい。エアロック／ポンプ３３又は同様のデバイスがまた、以下の段落に説明される任意選択的防曇／精製部２１を含む実施形態における同様の機能のために用いられてよい。
【００７９】
液滴分離器２０を出た後は、一次ガスストリームは、任意選択的に防曇／精製部２１に入る。液滴分離器２０を含まない実施形態において、一次ガスストリームは、ガスストリーム・ムーバ１９を出た後、防曇／精製部２１に入ってよい。精製部２１は、一次ガスストリームを精製、一次ガスストリームが一次ガスヒータを通過する前に残留収集溶剤液滴の多く又は全てを取り除く、最後の液滴分離段として機能する。精製部２１、および／又はそれ以前の液滴分離部に有効な液滴分離を設けることにより、植物油を含む任意の液滴が一次ガスストリーム・ヒータ２の加熱部に接することが防止されるので、高温ヒータ表面における植物油の燃焼、損汚、又は破壊が防止される。
【００８０】
システムが始めから加熱されている場合、システム内のガスは膨張して、密閉が甘いどこかのエリアを通ってシステムから出ようとし得る。同様に、システムが冷却している場合、システム内のガスは収縮する。圧力又は真空がシステム内で増大するのを防止するために、いくつかの実施形態では、システムの閉じた部分を大気に接続する方法が提供される。システム外へガスが出ていく際に、どんな蒸発収集溶剤も凝縮されシステムに戻るように、大気への接続は溶剤回収デバイス２２を通って確立される。溶剤回収デバイス２２は、収集溶剤又は揮発された植物油が周囲の大気に流入することを好ましくは防止する。溶剤回収デバイス２２は、コールドトラップ、凝縮チューブ、フィルタ、蒸留塔、市販の溶剤回収システム、又は、任意の他の適切な方法（ただし、これに限定されない）を含む、公知のいかなる溶剤回収方法を用いてもよい。溶剤回収デバイス２２はまた、カーボンフィルタ又は他の種類の臭気捕集フィルタを含み、臭気がシステムから漏れることを防止してよい。様々な凝縮器の設計が、に以下、蒸発デバイス凝縮器５５を説明する段落に記載の凝縮器の設計のいずれかを含む、溶剤回収デバイス２２として採用されてよい。
【００８１】
任意選択的な流出専用チェックバルブ２３が溶剤回収デバイス２２の出口端に取り付けられ、システムが加熱している場合は、膨張するガスをシステムから漏らし、システムが冷却している場合は、いずれの大気ガスが溶剤回収デバイス２２を通ってシステムに逆戻りすることを防止する。システムが冷却している場合に大気ガスがシステムに入ることを可能にするために、処理された植物材料の収集容器２９、又はシステム内の他の配置に、流入専用チェックバルブ３０が接続されてよい。
【００８２】
処理された植物材料が収集容器２９を介してシステムから取り除かれるので、いくつかの実施形態においては、収集溶剤蒸気がシステムの一部から排気され、それらが周囲の大気に漏れることを防止することが望ましい。システムが冷却しておらず、従って自然と大気からガスを引き込んでしてしまう間、溶剤蒸気がこのエリアから排気された状態を維持するために、排気ポンプ２４が、溶剤回収デバイス２２の出口に取り付けられてよい。常に溶剤回収デバイス２２を通じて少量のガスを連続的に引き込むことにより少量の真空がシステムに生じ、これが、流入専用チェックバルブ３０を介して、大気ガスを処理された植物材料の収集容器２９に吸引し、それゆえ容器から収集溶剤蒸気を排気する。このように排気ポンプ２４を用いる追加的な恩恵は、システム内の漏れやすいシールのどれかを通っての溶剤蒸気の漏れの可能性が緩和されることである。排気ポンプの代替案として、置換ガスが処理された植物材料容器、又は、排気先として望ましいと考えられるシステム内の他のエリアに導入されてよい。好ましい置換ガスは、ＣＯ２又は窒素であろうが、他の置換ガスが用いられてよい。排気ポンプ２４又は置換ガスを用いることは、複数の目的（一次植物材料分離デバイス８の植物材料出口における揮発油の凝縮を防止することを含む）に対して有益であること、および、そのような利用は、処理された植物材料の収集容器２９を空にする必要が全く無いことを理解されたい。
【００８３】
本開示の以下の部分でより詳細に説明されるように、図９に示される一次植物材料分離器８および二次植物材料混入部２７を説明する場合、排気ポンプ２４および／又は置換ガスを追加することは、植物材料分離器８に僅かな逆流が生させ、揮発された植物油が、一次植物材料分離器８の分離された植物材料出口４４から漏れることと、一次植物材料分離器８の分離された植物材料出口４４、および／又は、二次ガスフロー・ループ２５および／又は処理された植物材料容器２９の部分に凝縮することとを防止する重要な機能を果たす。植物油がこれらのエリアに凝縮した場合、植物材料のこれらの部分の内面への付着を引き起こし、分離された植物材料の収集容器２９への流れを塞ぐ可能性がある。凝縮を防止するこれらのエリアから植物油蒸気を排気する受動的方法が好ましいが、いくつかの実施形態において、これらの部分が決して詰まらないことを確実にするために、オーガスクリュー又は機械的な掻取り方法を含むことは有益であり得る。
【００８４】
収集溶剤および植物油の混合物から、捕集された植物油を分離するために、本発明のいくつかのバージョンは、蒸発デバイス３１等の油／溶剤分離システムを、任意選択的に含んでよい。蒸発デバイス３１は、好ましくは、薄膜エバポレータ、ワイプドフィルムエバポレータ、ショートパスエバポレータ、上昇膜エバポレータ、流下膜エバポレータ、噴霧乾燥器エバポレータ、遠心薄膜エバポレータ等の、蒸発デバイス（ただし、これに限定されない）、又は、エタノールベースの蒸留酒を蒸留するのによく用いられるスチル（ただし、これに限定されない）等の、従来のスチル設計である。しかしながら、任意の適切な蒸発デバイスが用いられてよく、１又は複数の蒸発デバイスが、単独で又は組み合わされて、改善した蒸発、又は複数の効果の蒸発のために用いられてよい。代替的に、非蒸発性油分離デバイスが用いられてよい。蒸発デバイス３１は、大気圧で、真空より低い圧力で、又は、大気圧より高い圧力で動作されてよい。電気式加熱素子、水蒸気生成器からの水蒸気、高温油システム、熱流体、加熱されたガス、又は熱を供給する任意の他の適切な方法を用いて、熱が蒸発デバイスに供給されてよい。蒸発デバイスが、薄膜エバポレータ又はワイプドフィルムエバポレータ（ｗｉｐｅｄ  ｆｉｌｍ  ｅｖａｐｏｒａｔｏｒ）である場合、熱ケーブルで蒸発部を包むことにより、又は、デバイスの蒸発部周辺に水蒸気ジャケット又は熱流体ジャケットを含み、水蒸気生成器又は熱流体システムに熱を提供することにより、熱がエバポレータに供給されることが好ましい。蒸発デバイスが上昇膜エバポレータ又は流下膜エバポレータである場合、水蒸気生成器又は熱流体システムによって、流下膜又は上昇膜部に熱が供給されることが好ましい。
【００８５】
システムが動いている際中、又は、いくつかの実施形態においてはシステムが抽出サイクルを完了した後、比例バルブ、ソレノイドバルブ、又は他の適切な迂回および／又は分割方法（不図示）の補助によって、又は、専用フィードポンプ６０（図２に示される）の補助によって、圧縮された溶剤のいくらかを一次ポンプ１２から迂回させることによって、蒸発デバイス３１は、システムのサンプエリアから、収集溶剤および捕集された植物油の混合物の分割された流れを引き込む。蒸発デバイス３１に入ると、収集溶剤は蒸発され、溶剤および植物油の混合物から蒸留され、当該溶剤は、実質的に精製された収集溶剤としてシステムに再導入される。図１に示される実施形態において、精製された収集溶剤は、システムの凝集部１４内の収集溶剤蒸気インジェクタ１５を介して、蒸気としてシステムに再導入される。このように、蒸発収集溶剤蒸気は凝集部１４の機能を容易にするために用いられてよい。精製された収集溶剤は追加的に又は代替的に、様々な構成要素のクリーニングを補助すべく、又は要求されている他の機能を提供すべく、システムの他の部分に蒸気として導入されてよい。
【００８６】
収集溶剤および捕集された植物油の混合物が蒸発デバイスに導入される場合、用いられている収集溶剤より高い沸点を好ましくは有する植物油は、蒸発デバイス３１内では容易に蒸発せず、収集溶剤が蒸留する際に実質的に純粋な形態に濃縮される。濃縮された植物油は、実質的に純粋な抽出物として蒸発デバイス３１から出てきて、続いて抽出収集エリア３２においてシステムの最終生成物として収集される。蒸発方法に関する追加の記載は、ＰＣＴ／ＩＢ２０１４／００２３８３で確認できるが、これらの方法は限定的であると考えられるべきではない。蒸発デバイスの代替案として、収集溶剤から植物油を分離する他の方法が用いられてよい。収集される植物油と混合しない収集溶剤を用いる実施形態において、成層分離方法（ｓｔｒａｔｉｆｉｃａｔｉｏｎ  ｍｅｔｈｏｄｓ  ｏｆ  ｓｅｐａｒａｔｉｏｎ）が採用されてよい。収集溶剤から油を分離するために、クロマトグラフィー法がまた用いられてよい。そのような方法は例として機能し、限定的ではない。当業者であれば、本発明の異なる用途に対して最適な分離方法を判断することができるだろう。
【００８７】
図２は、本発明の追加の実施形態を示す。図２において、蒸発デバイス３１から出ていく実質的に精製された収集溶剤蒸気は、凝縮器５５を通過して、収集溶剤蒸気を液体に凝縮する。凝縮器５５から出ていく液化された収集溶剤は、精製された溶剤貯留器５６に流入する。専用の収集溶剤ポンプ５７が、精製された溶剤貯留器５６から実質的に精製された収集溶剤を引き込み、冷却噴霧１０を介して、精製された収集溶剤を直接冷却噴霧部９に噴霧する。代替的に、精製された溶剤は直接凝縮器５５から汲み上げられてよい。サンプエリア１３から収集溶剤を再循環させるよりも、実質的に純粋な収集溶剤だけが冷却噴霧部９に用いられるようにシステムを配置することにより、これまで捕集された植物油が、冷却される前に、加熱されたガスストリームに接触することによって更なる熱に暴露されないようにすることを確実にする。他の用途および実施形態において、サンプエリア１３、又は必要とされているシステムの他のエリアに直接、凝縮された収集溶剤を再導入することが望ましい場合がある。
【００８８】
蒸発デバイス３１が凝縮器５５を含む本発明の実施形態において、リービッヒ（Ｌｉｅｂｉｇ）冷却器、アリーン（Ａｌｌｉｈｎ）冷却器、グラハム（Ｇｒａｈａｍ）冷却器、ジムロート（Ｄｉｍｒｏｔｈ）冷却器、フリードリヒ（Ｆｒｉｄｒｉｃｈｓ）冷却器、若しくはチューブ・イン・シェル凝縮器等の液冷式設計、又は、螺旋状チューブ、ラジエータ型の凝縮器、若しくは当業者に容易に公知であろう他の設計等の空冷式の設計を含む（ただし、これに限定されない）、いかなる凝縮器の設計が用いられてもよい。液冷式凝縮器の設計には、どんな冷却剤が用いられてもよく、ポンプ、蒸気の圧縮又は吸収チラーコイル、又は任意の他の適切な方法の補助により汲み上げられた、または、移動させられた、水道水、水、又は様々な種類の冷却剤流体（ただし、これに限定されない）を含む。強制空気、受動空気、蒸気の圧縮又は吸収チラー、他の液体との熱交換、又は、任意の他の適切な方法を用いて、液体冷却剤は冷却されてよい。空冷式凝縮器の設計には、凝縮器はエアムーバの補助、又は周囲の大気との受動接触によって移動される強制空気で冷却されてよい。そのような凝縮器の設計および冷却方法はまた、上述のように、溶剤回収デバイス２２において採用されてもよい。
【００８９】
収集溶剤又は他の冷却方法に暴露される第１エリアと、ガスストリーム・ヒータ２との間でガスストリームに接触するシステムの全ての部分の内面温度を、揮発された植物油の凝縮温度付近又はそれより高い温度に保持することが非常に望ましい。これは、システムの加熱された部分内の所望しない表面に揮発油が凝縮することを防止するのに有益であり、この表面への揮発油の凝縮は油にダメージを与える、および／又は油がシステムから回収されるのを妨げるおそれがある。ガスストリームの温度を維持し、システムの加熱された部分内の所望しない表面での揮発油の凝縮を防止するために、本発明の多くの実施形態において、ガスストリーム・ヒータ２、一次植物材料分離器８、一次植物材料分離器の下側出口４４（以下の部分で更なる詳細が説明される）、任意選択的なガスストリーム・フィルタ４９、および揮発室７の全部、いくつか、又は任意の組み合わせを含む（ただし、これに限定されない）、システムの加熱された部分の全部又は殆どを、そのような構成要素の絶縁又は加熱を簡略化するために、１つの受動的に絶縁される又は能動的に加熱されるボックス内、又は１つの加熱された室内に、共に収容することが有利であってよい。そのような加熱された室は、ファイバーガラス、セラミックウール、シリカ絶縁、ケイ酸カルシウム、エアロゲル、セラミック絶縁、岩綿、鉱物ウール、又は任意の他の適切な絶縁媒体等の断熱障壁と、受動的に絶縁されてよい。加熱された室が能動的に加熱される場合、対流ファンの補助の有無に関わらず、オーブン庫内の開口スペース内に電気要素が用いられてよく、又は、加熱されたガスがオーブン室を通るように供給されてもよい。代替的に、加熱された部分は、受動絶縁に適したサイズの真空室に、又は、能動的加熱の熱源として水蒸気を供給され得る、適したサイズの水蒸気室に共に収容されてよい。加熱された部分はまた、加熱ケーブルで包まれてよい。最後に、加熱された部分は熱加熱液体と共にチャンバ内に含まれてよい。当業者に公知であるいかなる加熱方法又は絶縁方法が用いられてよく、本発明の範囲内に依然として属する。殆どの実施形態において、ホッパ部４はオーブン室内に収容されないが、しかし混入ゾーン６に植物材料を提供できるようにガスストリーム流路を構成することが重要であり得ることは知られるべきである。加熱ボックス／オーブン室内にシステムの加熱された構成要素が含まれていない実施形態において、又は、加熱された構成要素を追加で加熱又は絶縁することが要求される実施形態において、本明細書の以下の部分に説明されるように、加熱された構成要素は個別に絶縁される又は能動的に加熱されてよい。
【００９０】
いくつかの実施形態において、システムの過熱を防止するために、全体的なシステムを冷却する方法が用いられなければならない。全体的なシステムを収集溶剤クーラ１１および／又はガスストリーム・クーラ５０を用いて冷却する様々な方法が、本開示で説明されてきた。強制空気又は冷却流体をシステムの外側部分で循環させること（ただし、これに限定されない）等の更なる方法がさらに、用いられてもよい。システムおよびガスストリームループの様々な構成要素上の冷却フィン又は突起を含む（ただし、これに限定されない）等の、システムを冷却する受動的方法がまた、採用されてもよい。システムを温度調整された部屋又は室に収容することもまた可能である。更なる様々な追加の冷却方法については、ＰＣＴ／ＩＢ２０１４／００２３８３で確認できる。
【００９１】
本発明の殆どの実施形態におけるガスストリームは、一部のエリアでは収集溶剤蒸気で飽和されるだろうから、システムの当該冷却部の内面で収集溶剤蒸気を凝縮させる環境を強化することが可能である。システムの冷却部の内面に収集溶剤を凝縮させることにより、蓄積されたあらゆる植物油をこれらの表面から洗浄することを補助するために、凝縮収集溶剤は用いられ得る。そのような「凝縮洗浄」環境を強化するために、システムの第１冷却部の後かつガスストリーム・ヒータ部の前でガスストリームに接触する、システムのいかなるエリアの内面よりも高い温度に、ガスストリームを常に保持することが望ましい。これに対する例外は、ホッパ部、二次ガスストリーム２５部、および別個の植物材料容器２９であって、これらに凝縮収集溶剤を有するのは望ましくない。システムの冷却部の内面に凝縮する溶剤は、蓄積油と共に、システムを通って流れ出て、最終的にサンプエリア１３に収集される。「凝縮洗浄」の更なる方法は、ＰＣＴ／ＩＢ２０１４／００２３８３で説明される。他の方法もまた用いられてよい。
【００９２】
本開示で説明される、様々なバルブ、ポンプ、エアロック、電気ヒータおよび／又は水蒸気ヒータ、および任意の他の制御可能なシステムの構成要素は、機械的な方法、および／又は電子温度および／又は圧力スイッチによって調整又は制御されてよい。しかしながら、システム内の温度および圧力、任意選択的な水蒸気生成器、蒸発デバイス、および、様々なポンプ、バルブ、エアロック、ガスムーバ、および他の制御可能なシステム内の構成要素が、１又は複数のプログラマブルロジックコントローラ（ＰＬＣ制御）および／又は比例・積分・微分コントローラ（ＰＩＤ制御）、および／又は、他の形態のコンピュータ化された制御によって制御されることが好ましい。そのような電子デバイスを用いることにより、温度、圧力、およびシステムの様々な動作のより精密な制御が実現されてよい。電子制御が実装される場合、温度は、熱電対、測温抵抗体（ＲＴＤセンサ）、および／又は他の温度検出方法でモニタリングされてよく、圧力は、電子圧力センサおよび／又は機械的圧力デバイス、および／又は他の検出方法でモニタリングされてよく、ガスフローおよび液体フローは、電子質量流量計、圧力センサ、圧力差センサ、コリオリ計、および／又は他の検出方法で検出されてよく、構成要素の位置は、制限スイッチ、位置センサ、近接センサ、および／又は他の検出方法で検出されてよく、流体のレベルは、光、電気、導電、超音波、容量、フロートスイッチ、および／又は他の検出方法で検出されてよく、および、乾燥材料のレベルは、光、電気、導電。超音波、容量、フロートスイッチ、回転乾燥レベル検出器、および／又は他の検出方法で検出されてよい。容量センサ、導電率センサ、比重センサ、湿度センサ、屈折計、又は他の種類のセンサ等の、収集溶剤混合物内に蓄積した水、植物油、又は他の液体の飽和レベルを検出可能なセンサを含むことが望ましい場合もある。様々な利用可能な設計の他のセンサがまた、様々な構成要素の状態を測定する必要に応じて用いられてよく、本発明の範囲内に依然として属する。どのようにそのような熱電対、センサ、およびデバイスが本発明において配置され得るかの非限定的な例は、全体が参照によって本出願に組み込まれているＰＣＴ／ＩＢ２０１４／００２３８３で確認できるが、センサの配置は当業者には明らかであるだろう。様々な温度、圧力、流量、および他のセンサは、システムのどの部分にでも、何個でも、およびどんな順番に配置されてもよく、本発明の範囲内に依然として属する。様々なＰＬＣ制御、ＰＩＤ制御、コンピュータ制御又は他の制御方法は、様々な種類の市販のデジタル、アナログ、および／又は他の種類の入出力モジュール（ＩＯモジュール）、ステッパコントローラ、可変周波数コントローラ、ソリッドステートリレー、従来の電磁リレー、および／又は任意の他の適切な方法により、システム内の構成要素を調整してよい。
【００９３】
図３は、システムの揮発室部の実施形態の詳細図を提供する。揮発室の目的は、一次ガスストリーム内に混入した植物材料を乱れたおよび／又は撹拌された環境に暴露して、ガスストリームとの接触を最大化し、植物材料内に含まれる植物油の急激な揮発を容易にすることである。本開示では、加熱された壁を有する一次植物材料分離器を採用して揮発室を省略することを含んだ、これらの結果を得るための複数の方法を説明するが、同様の結果を得るために他の方法が用いられてもよく、本発明の範囲内に依然として属する。図３に示されるように、一次ガスストリームは、上向きの流入チューブ３４を通って、混入された植物材料を揮発室に運ぶ。いくつかの用途において高速ノズルチップを含み得る流入チューブ３４の先端を出ると、混入された植物材料が揮発室７の上部に向かって上方に放出される。植物材料が上方に進む際、ガスストリーム・フローの乱逆流に揮発室内で暴露される。この動作は、植物材料の力強い撹拌をもたらし、加熱された一次ガスストリームとの接触を最大化し、植物材料内に含まれる植物油の急激な揮発を容易にする。一次ガスストリームは、室の底部で、混入された植物材料と共に流出通路３５を通って揮発室を出て、一次植物材料分離器８まで前進する。この種類の１又は複数の揮発室が、直列に又は並列に、又は他の種類の揮発室と組み合わせて用いられてよい。そのように、図１および図２の要素７が１又は複数の揮発室を表してよい。
【００９４】
揮発室を通過する際のガスストリームを十分な温度に維持するため、および、揮発室内の表面への揮発油の凝縮を防止するため、本開示内で説明される殆どの揮発室の実施形態は、断熱障壁内に含まれている又は包まれている、および／又は、能動熱源が提供されていることが好ましい。上述のように、システムの他の加熱された部分の全部又は一部と共に揮発室が絶縁室又は加熱された室内に収容される場合、そのような熱源又は熱障壁は任意選択的に取り除かれてよい。本開示で説明又は参照された揮発室の実施形態のいずれにも適用され得る非限定的な例として、図３に、揮発室が、加熱ジャケット３６に収容された状態で示される。揮発室７に熱を提供するために、特定の圧力および温度の飽和水蒸気、特定の温度の加熱されたガス、又は、特定の温度の加熱された熱流体が汲み上げられる、又はそうでなければ、流入通路３７を通って加熱ジャケットに導入される。水蒸気および／又は凝縮された水蒸気、加熱されたガス、又は熱流体は、流出通路３８を通って、加熱ジャケット外で循環する。水蒸気が加熱媒体として用いられる実施形態において、一次ガスヒータ２に熱を提供するのと同一の水蒸気生成器によって、水蒸気が供給されることが好ましい（ただし、必要というわけではない）。代替的に、ジャケット空間内の電気式熱源、又は、揮発室の周りを直接包む電気加熱ワイヤがまた、用いられてもよい。これらの方法のいずれも、本開示で説明された、又はそうでなければ参照された揮発室の実施形態のいずれを熱するために用いられてよい。
【００９５】
いくつかの実施形態において、ファイバーガラス、セラミックウール、シリカ絶縁、ケイ酸カルシウム、エアロゲル、セラミック絶縁、岩綿、鉱物ウール、または、任意の他の適切な絶縁媒体等の断熱障壁を用いて、揮発室を受動的に絶縁することが好ましい場合がある。いくつかの用途においては、揮発室を真空ジャケットに収容することがまた、好ましい場合もある。非限定的な例として、そのような真空ジャケットが、図３に示される加熱ジャケット３６と実質的に同様に見えてもよい。ただし、加熱媒体用の入口通路３７又は流出通路３８がないだろう点を除く。加熱媒体流入および流出通路の代わりに、チェックバルブ、又は同様の真空格納方法を含む排気通路が含まれるだろう。代替的に、真空ジャケットは持続的に密閉又は溶接されることによって閉鎖され、真空を保持してよい。これらの方法のいずれも、本開示で説明された、又はそうでなければ参照された揮発室の実施形態のいずれを絶縁するために用いられてよい。
【００９６】
図４は、修正された噴霧乾燥技術を用いるシステムの揮発室部７の追加の実施形態を示す。従来の工業噴霧乾燥技術は通常、乾燥室に入る際に加熱されたガスストリームに、いくつかの固体を含む、殆ど液体であるフィードを噴霧することを伴う。当業者はそのような噴霧乾燥室の設計に通じているだろう。従来の噴霧乾燥室内において、液体は蒸発し続いて排気として通気される一方、固体は最終生成物として収集される。（液体が通気され、固体が最終生成物として収集される、従来の噴霧乾燥用途の一例は、粉ミルクの生成である。）現実施形態においては、望まれている最終生成物は逆である。固体が望まれる代わりに、液体部分が最終生成物として望まれる。それゆえ、本発明において噴霧乾燥技術の使用は、殆ど液体であるフィードに代わって殆ど乾燥したフィードを扱うよう修正された。本発明において、粉末の又は微細に砕かれた植物材料（液体油を含む固体）が、乾燥室／揮発室に入る加熱されたガスストリームに導入される。この加熱されたガスストリームは、本発明において定める一次ガスストリームである。一次ガスストリームは混入された植物材料を、ノズルチップを有する下向き流入チューブ３９を通して揮発室７に運ぶ。一次ガスストリームおよび植物材料がノズルから急激に出ていくことにより、揮発室内の加熱されたガスストリームの乱流を促進し、植物材料を撹拌して植物材料内に含まれる油を急速に揮発させる。一次ガスストリームおよび混入された植物材料は、当該室７の底部における流出通路３５を通って、揮発室を出る。この種類の１又は複数の室７は、直列に、または、並列に、または、任意の他の種類の揮発室と組み合わせて用いられてもよい。異なるノズル設計の使用、ノズル箇所で圧縮および／又は高温空気を追加、噴霧乾燥室の寸法および直径の修正、および他の変更により、そのような修正が従来の噴霧乾燥技術に恩恵をもたらすのと同様のやり方で、植物材料の揮発、および／又は、植物材料が当該室の壁に付着するのを防止することに恩恵をもたらしてよい。いくつかの実施形態において、混入エリア６のノズルの上流と比べて、ノズル箇所に直接植物材料を導入することが有利であってよい。多くの商業的な噴霧乾燥技術および設計が、本発明での使用に対して適合し得ることを当業者は理解するだろう。そのような適合は、本発明の範囲内に依然として属する。揮発室の他の実施形態のように、ガスストリームの温度を維持するために、および、揮発室の表面への揮発油の凝縮を防止するために、揮発室にはそれ自体の熱源および／又は断熱障壁が提供されていることが好ましい。そのような熱源および熱障壁の例が上述のように説明されてきたが、この例は、気化室の全ての実施形態に適用されてよい。
【００９７】
図５は、揮発室７の第３の実施形態を示しており、揮発室７は、植物油の急激な揮発を誘起するために、植物材料を揮発室の加熱された壁と遠心的に接触させるよう設計される。この種類の１又は複数の室が、直列に又は並列に、又は他の種類の揮発室と組み合わせて用いられてよい。図５に示される実施形態において、一次ガスストリーム１および混入された植物材料は、接線入口４０を通って揮発室７の上端で揮発室に入る。一次ガスストリームが揮発室７に接線方向に入る際、混入された植物材料は、当該室の外壁４１に遠心力を受けて強制的に接触させられ、そこで、最終的に揮発室の底部出口３５に到達する前に、揮発室の壁４１の周りを複数回螺旋状に回る。この方法を用いて植物油の揮発の発生を成功させるために、揮発室の壁４１は熱源と接していることが非常に好ましい。しかしながら、いくつかの用途においては、熱障壁を使用すれば十分である場合がある。そのような熱源および熱障壁の例が上述のように説明されてきたが、この例は、本実施形態、および、気化室の全ての他の実施形態に適用されてよい。
【００９８】
図６は、植物材料における油の急激な揮発を誘起するように改造された形態の空気式フラッシュ乾燥を用いる揮発室７の実施形態を示す。この種類の１又は複数の室が、直列に又は並列に、又は他の種類の揮発室と組み合わせて用いられてよい。混入された植物材料を含む一次ガスストリームは、流入通路４６の底部を通ってフラッシュ乾燥揮発室７に入り、流出通路４７を通って当該室を出る前に、植物材料を重力に反して上方に運ぶ。上側の流出通路４７は、当該室側に再配置されてよく、しかしながら、下側の流入通路４６は、当該室７の最下点にあるままであることが好ましい。フラッシュ乾燥室の直径および一次ガスストリームの流量は、当該室を通って流れる加熱されたガスが、処理中の植物材料粒子の自然の自由落下速度よりも僅かに速く移動するよう注意深く設計されなくてはならない。このガスストリーム速度において、加熱されたガスストリームと植物粒子との接触が最大化され、植物油の急激な揮発をもたらす。フラッシュ乾燥揮発室７の長さは、揮発を最大化するために調整されてよく、又は、いくつかのより短い室が直列に配置される状態で繰り返されてもよい。揮発室の他の実施形態のように、ガスストリームの温度を維持するために、および、揮発室の表面への揮発油の凝縮を防止するために、揮発室にはそれ自体の熱源および／又は断熱障壁が提供されていることが好ましい。そのような熱源および熱障壁の例が上述のように説明されてきたが、この例は、気化室の全ての実施形態に適用されてよい。
【００９９】
図７は、揮発室の追加の実施形態を示しており、揮発室は、依然として油内に多く含有されている又は塊に凝集している植物材料が、小さい粒子に分解され所望の油から完全に取り除かれるまで、揮発室から漏れるのを防止するよう設計される。この特別な種類の揮発室は、フラッシュ乾燥室を適応させたものであって、当該室の直径およびガスストリームの流量が、最小、かつ、殆ど完全に油が取り除かれた植物材料の粒子であって、これはガスストリーム内で上方に浮くのに十分軽いものである粒子のみが当該室の上部から出ることが可能なガス速度を生み出すよう設計されている。大きな塊又は油を多く含有する植物粒子は、運び上げて当該室外に運ぶには重すぎるので、それらが破壊されて油から蒸発するまで、撹拌ゾーンでタンブリングし続ける。植物材料の塊が破壊され所望の油から蒸発した後にはじめて、植物材料は該当室を出るのに十分な軽さと小ささになる。図７に示されるように、混入された植物材料を運ぶガスストリームは、底部経路４６を通って揮発室に入る。底部経路の直径は当該室に入る前に減少して小さくなり、空気ブレードノズル４７を形成する。ノズル４７からの高速の空気は乱流状態で揮発室に入り、当該室の上方に進むには重すぎるどんな塊又は破片も植物材料から力強く引き離すのを助ける。植物材料のより軽くより小さい粒子は、所望の油から迅速に取り除かれ、ガスストリームと共に上方に進み続け、流出通路４８を通って当該室を出る。植物材料のより重い破片は当該室の低速ガスストリームエリアにおいて上昇力を得ることができず、当該室の底部付近に残留し、そこで、タンブリングし続け、互いにおよび当該室の壁に激突し、一方で同時に、加熱された室内において低流量で含まれている油が揮発するにつれ乾燥してくる。共に、このタンブリングおよび乾燥の効果により、植物材料の塊がより微細な粒子へと徐々に破壊されていく。粒子が十分に微細かつ軽ければ、必要な上昇力を得ることができ、上昇するガスストリームによって運ばれ、流出通路４８を通って当該室の上部から出ていく。独自の揮発室設計の他の実施形態は、ステンレススチール、他の金属、セラミック、熱可塑剤、又は、植物材料の破壊を補助する任意の他の適切な材料から構成される、中空又は中実のボール又はビーズ、又は他の形状の他の物を含んでよい。そのような要素の非限定的な例は、図７のボール５１により表されている。そのような実施形態において、ボール又は他の粉砕媒体は、空気ノズル８３によって当該室内に投入され、植物材料の破壊を容易にする。さまようボール又は粉砕媒体が揮発室から漏れるのを防止するために、排除スクリーン又は他の排除方法が任意選択的に含まれてよい。代替的に、当該室に入ってくる速く移動するガスストリームは、タービンブレード（不図示）に動力を供給し高速にするために用いられてよい。任意選択的な高速タービンブレードは当該室の底部周辺を移動している植物材料のどんな大きな粒子を破壊するために用いられてよい。そのようなブレードはまた、当該室の壁、又は流入ガス経路を通過する、外部から動力を供給されているシャフトによって、又は、漏れのおそれがあり得るシャフトシールおよび／又はシャフト貫通孔の必要を避けるべく電磁結合によって、回転され得る。気化室の本実施形態において用いられたブレードおよび粉砕媒体の設計は、本開示で説明されるいずれの気化室の実施形態における使用に対しても適合し得る図７に示される揮発室が凹状の底部エリアを有するとして示されているが、他の複数の実施形態において、エアピック又はブレードエリアに、落下してくる重い植物材料を連続的に戻すには、円錐状の底部エリアを用いることが望ましい場合がある。揮発室の他の実施形態のように、ガスストリームの温度を維持するために、および、揮発室の表面への揮発油の凝縮を防止するために、揮発室にはそれ自体の熱源および／又は断熱障壁が提供されていることが好ましい。そのような熱源および熱障壁の例が上述のように説明されてきたが、この例は、気化室の全ての実施形態に適用されてよい。
【０１００】
図８ａおよび８ｂは、揮発室の他の実施形態の断面および上面図を示しており、揮発室は、依然として油内に多く含有されている又は塊に凝集している植物材料が、小さい粒子に分解され所望の油から完全に取り除かれるまで、揮発室から漏れるのを防止するよう設計される。本実施形態において、ガスストリームおよび混入された植物材料は、接線側入口７０を通って揮発室に入る。ガスストリームは高速で流入し、混入された植物材料を揮発室内で螺旋状に急激に回転させる。任意選択的に、中空又は中実のボール若しくはビーズ、又は、ステンレススチール、他の金属、セラミック、熱可塑剤、又は任意の他の適切な材料から構成される、他の形状の他の粉砕媒体は、揮発室内に含まれて、植物材料の破壊を補助してよい。好ましくは、これらの粉砕媒体は、当該室から出て、当該室の壁に沿って螺旋状に急激に回転し続けることができない大きさであり、あらゆる大きな植物材料粒子を砕いて破壊する。任意選択的に、排除スクリーン又は他の排除デバイスが、粉砕媒体が当該室から出ていってしまういかなる可能性も防止するために用いられてよい。中空の粉砕ボール５１の非限定的な例が、図８ａに示される。植物材料の最小および最軽量粒子のみが当該室から出ていけるようにする粒子分類器として機能するように、揮発室の出口は設計され、配置される。このようにして、完全に破壊され、所望の油から実質的に取り除かれた植物材料のみが当該室から出ることができ、当該室では、依然として油を含んでいるより重い植物材料は、出ていくのに十分な軽さになるまで揮発室内で循環し続けるだろう。図８ａおよび８ｂに示される、揮発室の実施形態は、主要室出口７１を通って大きな粒子が出ていくのを遠心的に取り除く点において、サイクロン分離器と同様のやり方で機能する。しかしながら、捕集された粒子が漏れ出る二次出口を有さず、最終的に植物材料粒子の全てが主要出口を通って漏れ出る点において、通常のサイクロン分離器とは非常に異なる。従来のサイクロンのようにガスストリームから植物粒子を持続的に分離することに代えて、植物材料粒子は、油から十分に取り除かれ微細な塵に砕かれるまで、揮発室内で循環し続ける。植物材料粒子が、もはや遠心分離に影響されない程まで十分に低質量になった場合、それらはガスストリームによって主要出口から運び出され、最終的に一次植物材料分離器によって分離される。そのようにして、揮発室から植物材料が出ていくのを遅延させることにより、植物油の抽出が殆ど完了されてよい。図８ａおよび８ｂに示される、揮発室の実施形態は、追加の同様の揮発室と共に、又は、本開示で説明される他の揮発室のいずれかと組み合わせて、並列又は直列に用いられてよい。特に、図６に示される本実施形態のように、この揮発室の実施形態をフラッシュ乾燥室の前で用いることは有益であってよい。
【０１０１】
本開示の図中では示されていないが、いくつかの種類の植物材料に好ましいであろう揮発室の他の実施形態はおそらく、空気式リング乾燥器設計から成るだろう。空気式リング乾燥器という用語は、工業乾燥の分野で明確に定められており、リング乾燥器の設計も当業者にはよく知られることであろう。リング乾燥器バージョンの揮発室には、所望の油が揮発した後にだけ、植物材料がシステムを通って出ていくことが許される、という恩恵があるだろう。植物油の素晴らしい揮発を実現でき得る他の方法としては、スピンフラッシュ乾燥システム、撹拌ブレード付きスピンフラッシュ乾燥システム、回転ドラム乾燥器、ボール粉砕乾燥器、粒子分類器付乾燥器、および、当業者に公知だろう他の方法が挙げられてよい。
【０１０２】
図９は、一次植物材料分離デバイス８および二次植物材料混入部２７の実施形態の詳細図を示す。図９に示されるように、一次分離デバイスはサイクロン分離器である。しかしながら、他の遠心分離方法又は非遠心分離方法が用いられてもよい。一次ガスストリームおよび混入された植物材料は、接線入口４２を通って、分離器８側で一次植物材料分離デバイスに入る。一次植物材料分離器に入ると、混入された植物材料は、分離器８の外壁４３に遠心力を受けて強制的に接触させられ、分離器８の外壁４３では、分離器の壁４３を螺旋状に回転落下して分離器の底部出口から落下し、最終的に処理された植物材料の収集容器２９に到達する。一次ガスフローは、混入された植物材料を実質的に含まない状態で、分離器の上部部分５３を通って出ていき、任意選択的なガスストリーム・フィルタ４９、又は直接システムの冷却噴霧部９に続く。多くの遠心分離器が、図７で説明される位置に回転されているが、分離器の回転は変更されてよく、上部出口および／又は底部出口、および／又は、側面入口点（該当する場合）の再配置は、本発明の範囲内に依然として属することは当業者に公知であろう。
【０１０３】
混入された植物材料を一次ガスストリームからより完全に分離することの達成のために、１又は複数の一次植物材料分離デバイスが、並列若しくは直列で、又は、並列および直列の両方で用いられてよいことは留意すべきである。サイクロン分離器が一次植物材料分離デバイスとして用いられる場合、高体積ガスフローの大きな直径のサイクロンを１つ用いるのに対して、低体積ガスフローのより小さな直径の小型サイクロンをいくつか並列に用いることによって、より良い分離が達成できる。サイクロンを直列に配置することはまた、より良い分離を実現する。本発明の設計における簡潔性を維持するために、望まれるレベルの分離を実現するために必要とされる最小限の量のサイクロンを用いることが好ましい。これは、主要分離サイクロンだけでなく、システム内で用いられる任意の他の植物材料又は液滴分離サイクロンにも適用される。
【０１０４】
図９に示される一次植物材料分離器８の実施形態に示されるように分離された植物材料が分離器８の底部出口から落下する際、特化、加熱、および／又は絶縁された出口チューブ４４を任意選択的に通過する。加熱される出口チューブ４４はまた、図１のフロー図に示される。加熱される出口チューブ４４の底部に到達すると、処理された植物材料が二次混入部２７に落下し、そこで二次ガスストリーム２５に混入し、二次植物材料分離器２８に行き渡り、最終的に処理された植物材料の収集容器２９に落下する。二次ガスストリーム２５と接すると、処理された植物材料が冷却されるよう、二次ガスストリーム２５が一次ガスストリーム１よりも低い温度で維持されることが好ましい。処理された植物材料を冷却することにより、更なる揮発が停止され、植物材料の熱劣化が防止される。システムのオペレータが、第２の、より高温の植物材料の抽出を実施して、第１抽出サイクルで抽出されたものよりも高い沸点の植物油を抽出たいと欲する場合、これは特に重要である。処理された植物材料の冷却に失敗すると、残留油にダメージを与える可能性があり、また、システムの動作につれ、ダメージを受けた油蒸気が収集容器から上方に進み、一次ガスストリームに入るよう導いてしまい、それにより抽出の質を下げてしまいかねない。代替的に、処理された植物材料を、重力の結果として落下させる、又は、一次植物材料分離器８の下部から容器又は処分エリアまで機械的に行き渡らせるという簡潔な方法は、二次ガスストリーム２５および二次ガスストリーム・システムに必要とされる部品が必要となる事態を回避するべく用いてよい。そのような代替形態が用いられる場合、エアロックバルブ、フラッパバルブ、又は外部の大気から一次植物材料分離器を単離するための他の方法を提供するいくつかの用途においてであることが好ましい場合がある。
【０１０５】
加処理された植物材料が加熱された出口チューブ４４に進み下る際、分割された、小さな体積の大気ガス又は置換ガスが、処理された植物材料の収集容器２９に接続された流入専用チェックバルブ３０を通ってシステムに同時に入り、続いて二次ガスストリーム２５内のガスと混合する。大気ガス又は置換ガスのこのゆるやかな内向き流れは、落ちる植物材料の下向き流れに対抗して、処理された植物材料が流れ落ちる同一の加熱チューブ４４を通ってシステムにゆっくりと流れ込む。この大気ガス又は置換ガスのフロー（加熱される出口チューブ４４内の上方に進む小さな矢印４５で示される）は、一次植物材料分離器８の出口から植物油蒸気が漏れることと、二次ガスフロー・ループ２５および処理された植物材料容器２９内の部分上に凝縮することとを防止する、重要な目的を果たす。一次植物材料分離器８の下側出口部内で凝縮が起こることを防止するために、一次植物材料分離器８の底部に到達する前に、蒸気を含まない大気ガス又は置換ガスが、揮発される植物油の揮発温度付近又はそれより高い温度まで加熱されるよう、加熱される出口チューブ４４は十分に長くあるべきである。加熱される出口チューブ４４要の熱源は、以下の段落で説明される加熱ジャケット３６であってよく、又は、以下の段落で説明される加熱ジャケット３６と同様の方法によって加熱される別個の加熱ジャケットであってよい。代替的に、加熱される出口チューブ４４は、電気加熱ケーブル又は同様のデバイスで直接包まれてよい。置換ガスはまた、他の方法で加熱されてもよい。非限定的な一例は、金属、シリコーン、又は、他の耐熱材料から構成される、螺旋状の大気ガス又は置換ガスチューブを、分離された植物材料の出口チューブ４４に導入される前に置換ガスが加熱されるように、いくつかの実施形態において、加熱された構成要素の一部又は全部を収容するシステムの加熱されるエリア、又は加熱された室に配置することであろう。別の非限定的な例は、コイルを加熱するのに適した材料の置換ガス又は大気置換ガスチューブを包むことであろう。他の方法がまた、分離された植物材料出口４４に導入されているガスを熱するために用いられてよい。分離された植物材料出口４４から揮発された植物油を排気する方法が、有効ではない、又は最善の選択肢とは考えられない場合、植物材料出口４４および経路から、別個の植物材料容器２９に、蓄積された植物油を取り除く機械的な方法が採用されてよい。いくつかの非限定的な例としては、オーガスクリュー又はオーガーコンベア、回転スクレーパーブレード、プランジャピストン、ベルトシステム、又は当業者に公知の他の方法を用いることが挙げられる。
【０１０６】
一次植物材料分離器８の壁４３に十分な熱源を供給することは望ましい場合があり、いくつかの状況において、システムのそれ以前の揮発室部７を省略する選択肢を提供してくれるという追加的な恩恵があることに留意すべきである。一次植物材料分離器８の加熱された壁４３との直接接触を通して、十分な熱が植物材料に伝わることが可能である場合、別個の揮発室７の必要なしに、十分な揮発および抽出が起こるだろう。図９に示されるように、処理された植物材料の出口チューブ４４および一次植物材料分離器８の両方は、加熱ジャケット３６内に収容される。熱を植物材料分離器８および植物材料出口チューブ４４に提供するために、特定の圧力および温度の飽和水蒸気、特定の温度の加熱されたガス、又は、特定の温度の加熱された熱流体が汲み上げられる、又はそうでなければ、流入通路３７を通って加熱ジャケットに導入される。水蒸気および／又は凝縮された水蒸気、加熱されたガス、又は熱流体は、流出通路３８を通って、加熱ジャケット外で循環する。水蒸気が加熱媒体として用いられる実施形態において、一次ガスヒータに熱を提供するのと同一の水蒸気生成器によって、水蒸気が供給されることが好ましい（ただし、必要というわけではない）。代替的に、ジャケット空間内の電気式熱源、又は植物材料分離器８の周りを直接包む電気加熱ワイヤ、および／又は出口チューブがまた、用いられてもよい。これまでに説明された揮発室の実施形態と同様に、一次植物材料分離器のいくつかの実施形態において、ファイバーガラス、セラミックウール、シリカ絶縁、ケイ酸カルシウム、エアロゲル、セラミック絶縁、岩綿、鉱物ウール、または、任意の他の適切な絶縁媒体等の断熱障壁を用いて一次植物材料分離器８を受動的に絶縁することが好ましい場合がある。また、いくつかの用途において、真空ジャケットの中に一次植物材料分離器８を収容することがまた、好ましい場合もある。単に例として、そのような真空ジャケットが、図９に示される加熱ジャケット３６と実質的に同様に見えてもよい。ただし、加熱媒体用の入口通路３７又は流出通路３８がないだろう点を除く。代わりに、チェックバルブ、又は同様の真空格納方法を含んでよい排気通路が含まれるだろう。代替的に、真空ジャケットは持続的に密閉又は溶接されることによって閉鎖され、真空を保持してよい。一次植物材料分離器および／又は分離された植物材料の出口チューブ４４はまた、絶縁されたおよび／又は加熱された室内に、システムの加熱された構成要素の全部又は一部と共に収容されてよい。そのような方法が、本開示の他の部分で詳細に説明されてきた。
【０１０７】
いくつかの場合においては、湿潤充填材材料８１の使用により、揮発された植物油のより効率的な収集が起こり得る。湿潤充填材材料を用いる実施形態の非限定的な例はＰＣＴ／ＩＢ２０１４／００２３８３で説明されるが、この内容は全体が参照によって本明細書に組み込まれている。湿潤充填材を含む収集室の一例が、図１０に示される。湿潤充填材を用いるそのような実施形態として、ガラス、セラミック金属、又は他の材料から成るラシヒリング、サドル、およびビーズ等を含むランダム充填、砂、アルミナ、グラブル、ＰＴＦＥ繊維、ステンレススチールウール、ファイバーガラス、又は、鉱物ウール繊維等の他のランダム充填材料、および、編地充填、織成されたワイヤメッシュ、ステンレススチールウール、ステンレススチールマッティング、織成されたステンレススチールメッシュ、コルゲート金属部、バブルキャッププレート、および篩いトレイプレート等の構造化された充填、又は、揮発された植物油を捕集する、他の種類の充填等（ただし、これに限定されない）の、湿潤基材８１を含む収集室８０が挙げられてよい。充填材料８１は、収集溶剤で湿潤していてよく、これが、植物油を集め、充填材料を通ってサンプエリア１３に最終的に滴下し、回収され得る。図１０において、充填材料は、収集溶剤噴霧器８２によって、又は、充填材料を収集溶剤と接触させる他の方法によって、湿潤していてよい。他の実施形態のように、図１０に示される湿潤充填材収集室８０はまた、システムの冷却室として機能してよく、噴霧器８２および／又は充填材料８１がガスストリームを冷却するよう機能することは、知られるべきである。代替的に、図１０に示されるように、別個の冷却室が収集室８０の上流に提供されてよい。湿潤充填材材料を有する収集室が、他の複数の実施形態において用いられてよく、および、収集溶剤噴霧器１７を有する収集室又は任意の他の収集方法と組み合わせて用いられてもよい。収集室８０の場所はまた、用途によって変わってよい。非限定的な一例として、湿潤充填材収集室８０は、ガスストリーム・クーラ５０の位置に再配置され得る。
【０１０８】
最後に、これまでに説明された油滴の収集方法に加えて、凝縮油滴を捕集する静電方法もまた、本発明において採用されてよいことは知られるべきである。そのような実施形態において、静電スクラバが、当業者にはその設計が容易に公知であろうが、システムの冷却部９の後に配置されてよい。この配置により、静電収集板から流れ落ちてくる収集溶剤によって、収集された油を任意選択的に洗浄してよい。静電収集板はまた、凝集部１４の後又は収集室部１６の後に配置されてよく、収集溶剤の噴霧で任意選択的に洗浄されてよい。効率的な静電収集が起きる場合、システム全体にわたって、他の収集方法の一部を減らす又は削除することが可能であり得る。
【０１０９】
単に非限定的な例として、以下の動作条件および流量が、植物油を抽出するために利用され得る。システム全体のガスストリーム１を移動させるために、およそ１．０〜５．０重量ポンド毎平方インチ（６．８９５〜３４．４７４キロパスカル）の出口圧力を提供可能な遠心型ガスストリーム・ムーバ１９が利用される。他の例としては、０〜１５０重量ポンド毎平方インチ（０〜１０３４．２１４キロパスカル）の出口圧力を提供可能なガスストリーム・ムーバが挙げられてよい。ガスストリーム・ムーバ１９は、システム全体にわたって、およそ３０〜１００標準立方フィート／分（０．８４９〜２．８３立方メートル／分）の流量でガスストリーム１を移動させる。他の例としては、およそ、０．１〜３０標準立方フィート／分（０．００２８３〜０．８４９立方メートル／分）、１００〜２００標準立方フィート／分（２．８３〜５．６６立方メートル／分）、２００〜５００標準立方フィート／分（５．６６〜１４．１５立方メートル／分）、５００立方フィート／分（１４．１５立方メートル／分）より大きい、又は他の範囲の流量を提供可能なガスストリーム・ムーバが挙げられてよい。ガスストリームがガスストリーム・ヒータ２を通過する際、ガスストリームはおよそ華氏２９０〜４３０度（摂氏１４３．３３３〜２２１．１１１度）の温度に加熱される。他の例において、ガスストリームは、およそ、華氏１００〜３００度（摂氏３７．７７８〜１４８．８８９度）、華氏１００〜３１０度（摂氏３７．７７８〜１５４．４４４度）、華氏２００〜３００度（摂氏９３．３３３〜１４８．８８９度）、華氏２００〜３１０度（摂氏９３．３３３〜１５４．４４４度）、華氏２８０〜４５０度（摂氏１３７．７７８〜２３２．２２２度）、華氏３００〜５００度（摂氏１４８．８８９〜２６０．０００度）、華氏３００〜４００度（摂氏１４８．８８９〜２０４．４４４度）、華氏３００〜３７０度（摂氏１４８．８８９〜１８７．７７８度）、華氏３００〜３６５度（摂氏１４８．８８９〜１８５．０００度）、華氏３０５〜３６０度（摂氏１５１．６６７〜１８２．２２２度）、華氏３００〜３６０度（摂氏１４８．８８９〜１８２．２２２度）、華氏３００〜３３０度（摂氏１４８．８８９〜１６５．５５６度）、華氏３１０〜３２０度（摂氏１５４．４４４〜１６０．０００度）、華氏３４０〜３７０度（摂氏１７１．１１１〜１８７．７７８度）、華氏３５０〜３６０度（摂氏１７６．６６７〜１８２．２２２度）、華氏３５０〜３６５度（摂氏１７６．６６７〜１８５．０００度）、華氏４１５〜４４５度（摂氏２１２．７７８〜２２９．４４４度）の温度範囲、これら温度範囲の任意の組み合わせ、又は他の温度範囲に加熱されてよい。植物油を含む粉末の又は微細に砕かれた植物材料がおよそ毎分０．０３〜０．２５ポンド（毎分１３．６０８〜１１３．３９８グラム）の流量で、混入ゾーン６を介してガスストリーム１にフィードされる。フィード速度の他の例としては、毎分０．００１〜０．０３ポンド（毎分０〜０．０１４グラム）、毎分０．２５〜１．０ポンド（毎分０．１１３〜０．４５４グラム）、毎分１．０〜５．０ポンド（毎分０．４５４〜２．２６８グラム）、毎分５．０〜１０．０ポンド（毎分２．２６８〜４．５３６グラム）、毎分１０．０ポンド超（毎分４．５３６グラム超）、又は他のフィード速度が挙げられてよい。抽出室７エリア、および、ガスストリームがガスストリーム・ヒータ２とガスストリーム冷却部９との間を通る際にガスストリームに接触する、システムの全てのエリアの内面温度を、揮発油の凝縮温度より高く、又は、ヒータ２から出てくるガスストリームの温度付近に最大限維持して、これらの表面への植物油の凝縮を防止する。いくつかの例において、この温度はおよそ華氏２９０〜４３０度（摂氏１４３．３３３〜２２１．１１１度）付近又はそれより高い温度で維持される。他の例において、温度は、およそ、華氏１００〜３００度（摂氏３７．７７８〜１４８．８８９度）、華氏１００〜３１０度（摂氏３７．７７８〜１５４．４４４度）、華氏２００〜３００度（摂氏９３．３３３〜１４８．８８９度）、華氏２００〜３１０度（摂氏９３．３３３〜１５４．４４４度）、華氏２８０〜４５０度（摂氏１３７．７７８〜２３２．２２２度）、華氏３００〜５００度（摂氏１４８．８８９〜２６０．０００度）、華氏３００〜４００度（摂氏１４８．８８９〜２０４．４４４度）、華氏３００〜３７０度（摂氏１４８．８８９〜１８７．７７８度）、華氏３００〜３６５度（摂氏１４８．８８９〜１８５．０００度）、華氏３０５〜３６０度（摂氏１５１．６６７〜１８２．２２２度）、華氏３００〜３６０度（摂氏１４８．８８９〜１８２．２２２度）、華氏３００〜３３０度（摂氏１４８．８８９〜１６５．５５６度）、華氏３１０〜３２０度（摂氏１５４．４４４〜１６０．０００度）、華氏３４０〜３７０度（摂氏１７１．１１１〜１８７．７７８度）、華氏３５０〜３６０度（摂氏１７６．６６７〜１８２．２２２度）、華氏３５０〜３６５度（摂氏１７６．６６７〜１８５．０００度）、華氏４１５〜４４５度（摂氏２１２．７７８〜２２９．４４４度）の範囲、これら温度範囲の任意の組み合わせ、又は他の温度範囲に維持されてよい。蒸発デバイス３１は、植物油および収集溶剤の混合物から、およそ毎分０．０４〜０．１５ガロン（毎分０．１５１〜０．５６８リットル）の収集溶剤を蒸留するよう動作可能である。流量の他の例としては、およそ毎分０．０００２〜０．０４ガロン（毎分０．００１〜０．１５１リットル）、毎分０．１５〜０．５ガロン（毎分０．５６８〜１．８９３リットル）、毎分０．５〜１．０ガロン（毎分１．８９３〜３．７８５リットル）、毎分１．０〜５．０ガロン（毎分３．７８５〜１８．９２７リットル）、毎分５．０〜１０．０ガロン（毎分１８．９２７〜３７．８５４リットル）、毎分１０．０ガロン超（毎分３７．８５４リットル超、又は他の流量の分離流量が挙げられてよい。蒸留収集溶剤はサンプ貯留器エリア１３とは別個の貯留器５６に貯められる。実質的に精製された収集溶剤の流れは、およそ毎分０．０３〜１．０ガロン（毎分０．１１４〜３．７８５リットル）の流量で、冷却噴霧１０に汲み上げられる。他の例としては、毎分０．０００２〜０．０３ガロン（毎分０．００１〜０．１１３６リットル）、毎分１．０〜７．０ガロン（毎分３．７８５〜２６．５リットル）、毎分７．０〜１０．０ガロン（毎分２６．５〜３７．８５リットル）、毎分１０．０ガロン以上（毎分３７．８５リットル以上）、毎分１０．０ガロン未満（毎分３７．８５リットル未満）、または、他の流量等の流量が含まれ得る。冷却噴霧は、ガスストリームをおよそ華氏１６０〜１８０度（摂氏７１．１１１〜８２．２２２度）に冷却する。他の例において、冷却噴霧はガスストリームをおよそ華氏８０〜１５０度（摂氏２７〜６６度）、華氏０〜１５０度（摂氏−１８〜６６度）、華氏０〜１００度（摂氏−１８〜３８度）、華氏４０〜８０度（摂氏４．４〜２６．７度）、華氏１８０度（摂氏８２．２度）未満、華氏１７３度（摂氏７８．３度）未満、華氏１５０度（摂氏６５．５度）未満、華氏１４０度（摂氏６０度）未満、華氏１３０度（摂氏５４．４度）未満、華氏１２０度（摂氏４８．８９度）未満、華氏１１０度（摂氏４３．３３度）未満、華氏１００度（摂氏３７．７８度）未満、または、他の温度に冷却する。冷却噴霧に接触した後、ガスストリームおよび混入された液体は一次ガスストリームクーラ５０を通過する。ガスストリーム・クーラ５０はガスストリームおよび混入された液体／油をおよそ華氏９０〜１５０度（摂氏３２．２２２〜６５．５５６度）に冷却する。他の例において、ガスストリーム・クーラは、ガスストリームおよび混入された液体／油をおよそ華氏０〜１５０度（摂氏−１８〜６６度）、華氏０〜１００度（摂氏−１８〜３８度）、華氏４０〜８０度（摂氏４．４〜２６．７度）、華氏０〜９０度（摂氏−１８〜３２．２２度）、華氏１５０度（摂氏６５．５度）未満、華氏１４０度（摂氏６０度）未満、華氏１３０度（摂氏５４．４度）未満、華氏１２０度（摂氏４８．８９度）未満、華氏１１０度（摂氏４３．３３度）未満、華氏１００度（摂氏３７．７８度）未満、華氏９０度（摂氏３２．２２度）未満、華氏８０度（摂氏２６．６７度）未満、または、他の温度に冷却する。ガスストリームの冷却に噴霧クーラ又は噴霧収集室のみを用いる実施形態において、これらの部分は、ガスストリームおよび混入された液体／油を、およそ華氏９０〜１５０度（摂氏３２．２２２〜６５．５５６度）に、又は、冷却噴霧又はガスストリーム・クーラ用に上記リストに掲げたいずれの温度範囲に、冷却するよう動作可能であってよい。噴霧クーラにおいて噴霧される前に、５５等のクーラによって収集溶剤が冷却される実施形態において、収集溶剤は、使用されている収集溶剤の沸点未満の温度まで冷却されてよい。他の例において、５５等の収集溶剤クーラは収集溶剤を、およそ、華氏０〜１５０度（摂氏−１７．７７８〜６５．５５６度）、華氏０〜４０度（摂氏−１７．７７８〜４．４４４度）、華氏４０〜８０度（摂氏４．４４４〜２６．６６７度）、華氏８０〜１２０度（摂氏２６．６６７〜４８．８８９度）、華氏１００度未満、華氏１２０度未満、華氏１５０度未満の温度、又は他の温度範囲にまで冷却してよい。ガスストリームがガスストリーム・クーラ５０とガスストリーム・ヒータ２との間を通る際にガスストリームに接触する、システムの全ての内側エリアを、ガスストリーム・クーラ５０から出るときはガスストリームの温度より低い温度に最大限維持し、収集溶剤がこれらの表面に凝縮してどんな蓄積植物油も洗浄するようにする。いくつかの例において、温度は、華氏８５〜１４５度（摂氏２９．４４〜６２．７８度）の付近または未満に維持される。一次溶剤ポンプ１２は、収集室１６においてサンプエリア１３から収集溶剤噴霧器１７に、およそ毎分１．０〜７．０ガロン（毎分３．７８５〜２６．４９８リットル）の流量で収集溶剤を汲み上げる。他の例は、毎分０．０００２〜１．０ガロン（毎分０．０００７〜３．７８５リットル）、毎分７．０〜１０．０ガロン（毎分２６．５〜３７．８５リットル）、毎分１０．０ガロン（毎分３７．８５リットル）以上、毎分１０．０ガロン（毎分３７．８５リットル）未満の流量、または、他の流量を含む。システム内で使用されている収集溶剤は、主にエチルアルコールと水から成っていてよく、その比は、およそ、エチルアルコール４０％：水６０％〜エチルアルコール９５％：水５％、である。排気ポンプ２４は、ガスストリームの最高圧力エリア（ブロワ出口のエリア等）を依然として外気圧よりも僅かに低い圧力に維持するように、システムを負圧に維持するよう動作可能である。そのようにしていると、溶剤蒸気および／又は揮発された植物油は、システム内のシールから容易に漏れずに、それらが凝縮されシステムに戻るコールドトラップ２２を必ず通過しなくてはならない。排気ポンプ２４によって排気されたガスの体積は、およそ０．０１〜５．０立方フィート／分（０．００２８３〜０．１４１５立方メートル／分）である。
【０１１０】
本開示における具体的な説明は、本発明の範囲を限定するものとして考えられるべきではない。非限定的な例として、異なる熱交換器が用いられてよく、構成要素が周辺に移動されてよく、様々な構成要素の機能が１つの構造に纏められてよく、又は、一構成要素の機能がいくつかの構成要素間で分割されてもよい。更に、図１および図２の要素の配置および構成は、説明を簡潔にするためのものであり、これに限定されない。一例として、揮発室７は底部入口および上部出口として示されているが、入口および出口の位置は他の箇所であってもよい。本明細書内で説明されている本発明の実施形態は、本発明の範囲又は教示から逸脱することなく、他の方式に変更されてよいことが当業者には認識されるだろう。図１と比較して、システムが再配置され得る多くの方法のうちの１つの別の非限定的な例として、図２に示される実施形態は、再配置又はさらに除去したシステムの部分のいくつかを示す。図２は、図１に示される遠心液滴分離器２０が取り除かれたものを示す。本実施形態において、１つの防曇部２１のみが、液滴がヒータ２に流入するのを防止するために用いられている。水蒸気生成器３もまた、図２において取り除かれている。本実施形態において、電気式加熱素子がヒータ部２において用いられている。植物材料収集システムはまた、簡略化されている。二次混入ゾーン２７および二次ガスストリーム２５を用いる代わりに、一次植物材料分離デバイスは、処理された植物材料の収集容器２９に直接流れる。任意選択的なエアロックバルブ５８が、一次ガスストリーム１から分離された処理された植物材料の収集容器２９を保持するために用いられてもよい。２つのガスムーバ１９は直列に用いられて、ガスストリームを行き渡らせるのに使用可能な圧力を高めてきた。ガスムーバ１９のうちの１つの配置は、図１に示される位置から移動しているが、直接第２ガスムーバ１９の前、又はシステムの他の箇所に配置されてよい。
【０１１１】
図１１は、収集溶剤なしに動作するよう設計された、本発明の実施形態を示す。本実施形態は、溶剤を全く用いず、又は最小量の希釈溶剤のみで動作されてよい。本実施形態は、一次ガスストリーム１、チューブ・イン・シェル水蒸気動力ガスストリーム・ヒータ２、水蒸気をヒータに提供する水蒸気生成器３、ガスストリーム・ムーバ１９、ホッパ４、植物材料分割デバイス５、一次植物材料混入ゾーン６、１又は複数の揮発室７、一次植物材料分離デバイス８、ガスストリーム・フィルタ４９、揮発油凝縮器／ガスストリーム・クーラ５０、凝縮植物油ガスストリーム／油分離デバイス８２、油収集エリア３２、加熱、分離された植物材料出口４４、システムからある分量を除くことが可能なガス空気ポンプ２４、二次ガスストリーム２５、二次ガスストリーム・ムーバ２６、二次植物材料混入ゾーン２７、二次植物材料分離デバイス２８、処理された植物材料の収集容器２９、および、大気空気又は置換ガスが植物材料収集容器２９を介してシステムに入ることを可能にする流入専用チェックバルブ３０、を含む。所望の用途によって、これらの構成要素および部分のうちいずれも、システム内で直列に又は並列に、１又は複数回複製されてよく、又は、異なる効果を得るために完全に取り除かれてもよい。システム内の構成要素の順番はまた、異なる効果を得るために修正されてよい。水蒸気を動力とするヒータ２はまた、電気を動力とするヒータ、循環熱流体のヒータ、又は他の方法を動力とするヒータと交換されてよい。要素１、２、３、１９、４、５、６、７、８、４９、４４、２５、２６、２７、２８、２９、３０、２２、２３および２４は、これまで説明されてきた本発明の実施形態において対応する同様のコンポーネントと実質的に同様の方式で機能する。しかしながら、要素５０は、これまで説明されてきた本発明の実施形態と比較すると修正された方式で機能する。追加的に、いくつかの実施形態において、ガスストリーム・ムーバはヒータの後に配置され、植物油が内部表面に凝縮するには高すぎる温度のままとなるようにする。言及された要素はまた、この部以降の実施形態においても同様のやり方で機能してよいことに留意すべきである。
【０１１２】
図１１に示される実施形態は、溶剤を殆ど又は全く用いないよう設計される。揮発された植物油は、揮発部７から一次植物材料分離デバイス８を通り、任意選択的なガスストリーム・フィルタ４９を通って進んだ後、揮発油コンデンサ／ガスストリーム冷却部５０に入る。凝縮器／ガスストリーム・クーラ５０は、冷却剤又は冷却剤の混合物によって冷却されるチューブ・イン・シェル熱交換器であるのが好ましいが、本明細書又はＰＣＴ／ＩＢ２０１４／００２３８３においてこれまで説明されてきた凝縮器の設計および冷却方法のいずれが用いられてもよい。揮発油がガスストリーム・コンデンサ／クーラ５０に入る際、揮発油の一部が凝縮器内の凝縮面に凝縮する。凝縮器を最初に通過した際に凝縮しない揮発油は、凝縮器５０を連続して通過するうちに凝縮されるまで、ガスストリームと共に再循環し続けてよい。凝縮器５０内の凝縮面に凝縮する抽出された植物油は、凝縮器の面を滴下し、凝縮器５０から流出し、凝縮油分離部８２に、最終的には凝縮油収集エリア３２に入る。ガスストリーム１はシステムを流れ、ヒータに戻り続ける。
【０１１３】
ガスストリーム凝縮器／ガスストリーム・クーラ５０の中の冷媒および／又は凝縮面を、抽出される揮発された植物油の凝縮点より低い温度に、しかし、植物油が凝縮器５０の底部から容易に滴下して、凝縮油分離部８２を通って凝縮油収集エリア３２へ流れるように植物油を流動状態に保持するのに十分に高い温度に維持することは有益である。いくつかの非限定的な温度の例には、凝縮器の中の凝縮面を華氏１００〜３００度（摂氏３７．７８〜１４８．９度）、華氏１２０〜２８０度（摂氏４８．８９〜１３７．８度）、華氏１２０〜１５０度（摂氏４８．８９〜６５．５５度）、および、華氏３２０〜３４０度（摂氏１６０〜１７１度）に維持することが含まれる。他の温度範囲がまた、用いられてもよい。
【０１１４】
図１２ａは、機能するのに溶剤を殆ど又は全く必要としない、本発明の他の実施形態を示す。本実施形態において、遠心凝縮油分離器８３が用いられている。遠心油分離器８３は、サイクロン、又は他の適切な分離デバイスであってよい。ガスストリームがガスストリーム・コンデンサ／クーラ５０を通過する際、揮発された植物油の一部が凝縮器内の表面で凝縮するだろうが、油の一部はまた、ガスストリームの流れに混入した小さな又は微小な油滴として、より冷たいガスストリームに凝縮し析出してよい。遠心油分離器８３を用いることによって、ヒータ２を通って再循環する前に、これらの混入した小さくかつ微小な油滴の大部分が油分離器内で捕集される。凝縮器５０から滴下する油と共に捕集される油滴は、次に、抽出油収集エリア３２に流れてよい。異なる用途において、本発明内の構成要素の多くは再配置又は変更されてよいことを図示するために、図１２ａに示される実施形態は、図１１と比較して、簡略化された処理済み植物材料収集システムを示す。
【０１１５】
図１２ｂは図１２ａに示される実施形態と同様の配置を示す。本実施形態において、ガスストリーム・ムーバ１９は、凝縮器／クーラ５０の後かつヒータ２の前に配置される。任意選択的な凝縮油分離部８２が、本実施形態に含まれてもよい。ガスストリーム・ムーバは、渦流ブロワ、タービンブロワ、圧力ブロワ、ターボコンプレッサ、遠心ブロワ、又は、適切な遠心力を生じさせることができる任意の他の設計（ただし、これに限定されない）等の遠心ブロワ設計を有していることが好ましい。ガスストリーム・クーラ５０の後に遠心型ガスストリーム・ムーバ１９を配置することにより、ガスストリームが冷却された後にガスストリームに析出した微小な油滴を分離して集める遠心油分離器として、ガスストリーム・ムーバ１９は機能する。凝縮器５０から滴下するどんな油と共に、ガスストリーム・ムーバ１９で捕集される油滴は、次に、抽出油収集エリア３２に流れてよい。ブレードを有するガスストリーム・ムーバ（例えば、ターボコンプレッサ、渦流ブロワ、タービンブロワ、圧力ブロワ、又は、高速部分を有するガスストリーム・ムーバ）がまた、油滴がブレードの表面に衝突する場合の作用によって、油滴を集めてよい。そのようなブロワが、本明細書で説明されるガスストリーム・ムーバ要素のいずれとも置換されてよい。
【０１１６】
図１２ａおよび１２ｂに示される実施形態において、遠心油分離器８３又は遠心ガスストリーム・ムーバ１９が、収集された油が遠心捕集デバイスから流れ得るよう、捕集された液滴が流動的かつ自由に流れる状態を保持するのに十分なほど高い温度、しかし、捕集された油滴が再揮発することを防止するのに十分低い温度、に維持されることが好ましい。また、図１２ａおよび１２ｂに示された実施形態における凝縮器／ガスストリーム・クーラ５０は、抽出される揮発された植物油の凝縮点より低い温度に、しかし、油が容易に凝縮器５０の底部から滴下して流れ、システムを通って抽出油収集エリア３２へ流れ続けるように、収集された油を流動状態に維持するのに十分に高い温度に維持されることが好ましい。図１２ａおよび１２ｂに示されるいくつかの実施形態において、凝縮器に収集される油の量を最小化するようにガスストリーム・クーラ５０を設計し、主に遠心分離器８３または遠心ガスムーバ１９を一次分離デバイスとして利用することが好ましい場合がある。
【０１１７】
図１３は、機能するために、溶剤を殆ど又は全く用いないよう設計された他の実施形態を示す。本実施形態において、ガスストリーム・コンデンサ／クーラ５０、油分離器８２ｍおよび抽出油収集エリア３２を含む要素の組が、ガスストリーム内の揮発油から様々な分画を取り除くのに実際的な回数だけ、直列に繰り返される。この配置により、植物油成分の分画が連続的に起きてよい。説明を簡潔にするため、ガスストリーム・コンデンサ／クーラ５０、油分離部８２、および抽出油収集エリア３２の組が２組だけ図１３に示されるが、この数は増えてもよい。図１３に示される実施形態において、油分画の全部が揮発され、揮発された植物油がガス化するにつれガスストリーム１内に進むように、抽出される植物材料内の所望の分画の全てを揮発させるのに十分なほど高い温度に、ヒータ２を設定することは有益である。第１ガスストリーム・コンデンサ／クーラ５０内の凝縮面は、揮発された植物油分の第１分画を凝縮するのに十分なほど低く、しかし、揮発された植物油分の他の分画を凝縮するには高すぎる温度、に維持されるべきである。揮発された植物油の第１分画は、凝縮器の面で凝縮し、第１コンデンサ５０を通り、第１油分離器８２を通り、第１油収集エリア３２へ流れる。揮発された植物油の第１分画より低い凝縮点を有する、ガスストリームに混入した揮発油における他の分画は、第１コンデンサ５０の中で凝縮できず、揮発された植物油のガスとして、ガスストリームの中を第２ガスストリーム・コンデンサ／クーラ５０まで進み続ける。第２ガスストリーム・コンデンサ／クーラ５０における凝縮面は、第１ガスストリーム・コンデンサ／クーラ５０より低く、また、揮発された植物油分の第２分画を凝縮させるのに十分低いが、他の揮発された植物油分が凝縮しないほど高い温度に維持される。このパターンは、ガスストリーム内の揮発油から様々な分画を取り除くのに実際的な回数だけ、複数のガスストリーム・コンデンサ／クーラで繰り返されてよい。直列の最後の凝縮器５０は、残留油分画の全てを凝縮するのに十分なほど低い温度に維持され、しかし依然として、最後の凝縮器から最後の油分離器８２まで自由に流れて、最後の抽出油収集エリア３２に入る油を保持するのに十分なほど高温に維持されることは有益である。
【０１１８】
図１４は、連続的な分画を可能にする追加の実施形態を示す。本実施形態において、直列の最後の油分離デバイスは、図１２ａの説明の部分でこれまでに説明されてきたように、遠心油分離デバイス８３である。遠心分離デバイス８３は、連続する凝縮器／ガスストリーム・クーラ５０のそれぞれの後に配置され、図１２ａで説明されるのと同様のやり方で、分画された油成分の収集を容易にしてよい。
【０１１９】
図１５は、連続する分画を可能にする追加の実施形態を示す。本実施形態において、ガスストリーム・ムーバ１９は再配置され、遠心油分離デバイスとして機能する。本実施形態において、高い遠心効果を生む遠心型ガスストリーム・ムーバを用いることは有益である。本開示の他の部分において、遠心ガスムーバの例がこれまでに説明されてきた。いくつかの非限定的な例として、ターボコンプレッサ、渦流ブロワ、ターボブロワ、圧力ブロワ、および他の遠心デバイスが挙げられてよい。遠心ガスストリーム・ムーバ１９が、連続する凝縮器５０のそれぞれの後に配置され、分画された油成分の収集を容易にしてよい。
【０１２０】
図１３、１４および１５に示される実施形態において利用され得る温位の非限定的な例として、以下のおよその温度が有益であり得る。揮発室の内側エリアは、抽出されるべき植物油の所望の分画の全部揮発させるために、華氏３５６〜４４０度（摂氏１８０〜２２７度）の温度に加熱され得る。第１ガスストリーム・コンデンサ／クーラ５０内の凝縮面は、華氏３６６〜４２７度（摂氏１８５．５５６〜２１９．４４４度）の間で維持されてよい。第２ガスストリーム・コンデンサ／クーラの中の凝縮面は、華氏３５７〜３６４度（摂氏１８０〜１８４度）に維持され得る。第３ガスストリーム・コンデンサ／クーラ５０の中の凝縮面は、華氏３１６〜３５５度（摂氏１５８〜１７９度）に維持され得る。第４ガスストリーム・コンデンサ／クーラ５０の中の凝縮面は、華氏２９０〜３１４度（摂氏１４３〜１５７度）に維持され得る。最終ガスストリーム・コンデンサ／クーラ５０の中の凝縮面は、華氏１１０〜２８９度（摂氏４３〜１４３度）に維持され得る。他の温度、および構成要素の繰り返し回数が、他の複数の実施形態および例において用いられてよい。
【０１２１】
図１３、１４および１５に示される代替的な実施形態において利用され得る温位の非限定的な例として、以下のおよその温度が有益であり得る。揮発室の内側エリアは、抽出されるべき植物油の所望の分画の全部揮発させるために、華氏３５６〜４００度（摂氏１８０〜２０４度）の温度に加熱され得る。第１ガスストリーム・コンデンサ／クーラ５０の中の凝縮面は、華氏３５７〜３６４度（摂氏１８０〜１８４度）に維持され得る。第２ガスストリーム・コンデンサ／クーラの中の凝縮面は、華氏３１６〜３５５度（摂氏１５８〜１７９度）に維持され得る。第３ガスストリーム・コンデンサ／クーラ５０の中の凝縮面は、華氏２９０〜３１４度（摂氏１４３〜１５７度）に維持され得る。最終ガスストリーム・コンデンサ／クーラ５０の中の凝縮面は、華氏１１０〜２８９度（摂氏４３〜１４３度）に維持され得る。他の温度、および構成要素の繰り返し回数が、他の複数の実施形態および例において用いられてよい。
【０１２２】
図１６は、ガスストリームから植物油を効率的に取り除くために静電収集器８４を利用する実施形態を示す。ガスストリームがガスストリーム・コンデンサ／クーラ５０を通過するとき、揮発された植物油の一部が、凝縮器の中の表面上で凝縮し、システムを通って抽出油収集エリア３２へ滴下し得て、一方、他油の一部は凝縮し、ガスストリームの流れに混入した小さな又は微小な油滴として、より冷たいガスストリームに析出し得る。静電収集器８４を用いることにより、これらの混入した小さくかつ微小な油滴の大部分は、ヒータ２を通って再循環する前に静電収集器内で捕集されてよい。ガスストリームおよび混入した小さくかつ微小な植物油滴が、ガスストリーム・コンデンサ５０から抜けて静電収集器８４に入る際、静電収集器８４は、混入した油滴に静電荷を付与する。静電収集器８４内の収集面は、油滴とは逆の静電荷で帯電される。混入した油滴が収集面付近を通過する際油滴は電気的に収集面に吸着される。油滴が収集面で集まる際、油滴は、静電収集表面から滴下してシステムを通って抽出油収集エリア３２に流れ出る、より大きな液滴に合体し始める。静電収集器の設計および機能は、当業者に公知であるだろう。
【０１２３】
図１６に示される実施形態において、ガスストリーム・コンデンサ／クーラ５０内の凝縮面が、抽出される揮発された植物油の凝縮点より低く、しかし、植物油が容易に滴下し、凝縮器５０の底部から流れ出て、静電収集器８４を通り、凝縮油分離部８２を通り、凝縮油収集エリア３２に入るように、植物油を流動状態に保持するのに十分高い温度に維持されることは有益である。収集された植物油が静電収集器８４から容易に流れ出るために、ガスストリーム・コンデンサ／クーラ５０から出たガスストリームが、収集された油が静電収集表面から自由に滴下し、油収集エリア３２にシステムを通って流れ落ち得るほど十分に温かい状態に、静電収集器８４の表面を保持する温度に維持されることは有益である。いくつかの非限定的な温度の例として、凝縮器５０および静電収集器エリア８４内の凝縮面を、華氏１００〜３００度（摂氏３７．７７８〜１４８．８８９度）、華氏１２０〜２８０度（摂氏４８．８８９〜１３７．７７８度）、華氏１２０〜１５０度（摂氏４８．８８９〜６５．５５６度）、および華氏３２０〜３４０度（摂氏１６０．０００〜１７１．１１１度）の間の温度に維持することが挙げられてよい。図１６に示されるいくつかの実施形態において、ガスストリーム・クーラ５０で収集する油の量を最小化し、主に静電収集器８４を一次油収集／分離デバイスとして頼るよう凝縮器／ガスストリーム・クーラ５０を設計することが好ましい場合がある。
【０１２４】
図１７は、ガスストリームから小さくかつ微小な油滴を取り除くフィルタ、防曇パッド、および／又は充填材料を含む濾過部８５を用いる実施形態を示す。濾過部８５に含まれる媒体は、溶剤を殆ど又は全く用いずに機能するよう設計される。溶剤を殆ど又は全く用いないことがあり得るので、濾過部は、油がフィルタおよび／又は防曇パッドから抽出油収集エリア３２へ容易に滴下することを可能にするように、収集された油が自由に流れる状態を維持する温度に維持されることが好ましい。ガスストリームがガスストリーム・コンデンサ／クーラ５０を通過するとき、揮発された植物油の一部は、凝縮器の中の表面上で凝縮し、システムを通って、抽出油収集エリア３２に滴下し得て、一方、他の油の一部は、凝縮し、ガスストリームの流れに混入した小さな又は微小な油滴として、より冷たいガスストリームの中に析出し得る。ガスストリームおよび混入した小さくかつ微小な植物油滴がガスストリーム・コンデンサ５０から抜けて濾過部８５を通過する際、混入した油滴の一部がガスストリームから取り除かれてよい。濾過材料は、焼結ガラスフィルタ、焼結セラミックフィルタ、焼結金属フィルタ、セラミックフィルタ、他のフィルタ設計、ガラス、セラミック、金属で作られたラシヒリング、サドル、ビーズとを含むランダムおよび／又は不活性充填、砂、アルミナ、グラブル、架橋ＰＴＦＥ繊維、ステンレススチールウール、ガラス繊維、または、鉱物ウール繊維等他のランダムおよび／又は不活性充填材料、編地充填、織成されたワイヤメッシュ、ステンレススチールウール、ステンレススチールマッティング、織成されたステンレススチールメッシュ、コルゲート金属部、バブルキャッププレート、および篩いトレイプレート等の構造化された充填、又は、揮発された植物油を捕集する、他の種類の充填等（ただし、これに限定されない）等、多数の材料を含んでよい。防曇材料は、前述した材料のいずれかを含んでよく、又は防曇材料は、構造化された防曇設計、波板防曇設計、又は他の設計を含んでよい。
【０１２５】
図１１、１２ａ、１２ｂ、１３、１４、１５、１６および１７に示されるシステムの部分が加熱および／又は絶縁され、目標温度の実現を助けてよく、および／又は、システムの特定のエリアでの凝縮を防止してよい。
【０１２６】
図１１、１２ａ、１２ｂ、１３、１４、１５、１６、および１７に示される、並びに、それらに付随する本文で説明される実施形態のいずれも、溶剤を殆ど又は全く用いず機能してよい。いくつかの場合においては、溶剤を全く用いないことが好ましい場合がある。いくつかの場合においては、一次収集方法としてではなく、自由流れ状態の液化した油が本発明の様々な収集および分離デバイスから自由に流れ出すように、自由流れ状態の液化した油を維持するための希釈剤として、最小量の溶剤を用いることが好ましい場合がある。最小量の溶剤が用いられる場合、その一般的なゴールは、出来るだけ少量しか用いないことである。いくつかの非限定的な例が、収集された油が２５重量％以下の溶剤、１５重量％以下の溶剤、又は１０重量％以下の溶剤を含むと測定され得るように、十分な量の溶剤を用いることであろう。いくつかの場合においてまた、ガスストリームにおいて、溶解溶剤を特定のレベルに維持することが有利である場合がある。いくつかの非限定的な例が、ガスストリームが２５重量％以下の溶剤蒸気、１５重量％以下の溶剤蒸気、又は１０重量％以下の溶剤蒸気を含むと測定され得るように、十分な量の溶剤を用いることであろう。他の場合において、収集された油が、システムから取り除けないほどに厚くなり過ぎないことを確実にするため、希釈溶剤をさらにより高い比で維持することが好ましい場合がある。
【０１２７】
図１１、１２ａ、１２ｂ、１３、１４、１５、１６および１７に示される実施形態への希釈溶剤の導入は、ガスストリーム・クーラ５０の前および／又は中、遠心収集デバイス部８３の前および／又は中、遠心ガスストリーム・ムーバ収集部１９の前および／又は中、静電収集部８４の前および／又は中、フィルタ収集部８５の前および／又は中、油分離部８２の前および／又は中、および／又は、システムの他の部分の中であり得る。いくつかの実施形態において、液体に代えて蒸気として希釈溶剤を導入することが有利であってよく、これまで述べられてきた部分、ガスストリーム１内、ガスストリーム・ヒータ２内、抽出室７内、ガスストリーム・ムーバ１９内、ガスストリーム・フィルタ４９内、植物材料分離デバイス８内、および／又はシステム内のどこでも、のいずれかに導入点が配置される。希釈溶剤を導入する方法は、ノズル、チューブ、噴霧器、バルブ、ガスインジェクタ、又は、当業者に公知である若しくは本開示の他の部分で説明された他の方法を介してよい。
【０１２８】
図１１、１２ａ、１２ｂ、１３、１４、１５、１６および１７に示される実施形態において利用される希釈溶剤は、エタノール、エタノールと水との混合物から成り得て、または、本開示もしくはＰＣＴ／ＩＢ２０１４／００２３８３において説明される任意の他の実施形態において収集溶剤として使用される任意の化合物、または、他の溶剤、または、様々な溶剤の混合物から成り得る。希釈溶剤は、食品グレード又は医療グレードであることが好ましいが、任意の適切な希釈溶剤が用いられてもよい。エタノールが希釈溶剤として導入される場合、いくつかの非限定的な例は、約１００％エタノール、約９５％エタノールと５％水、約９０％エタノールと１０％水、約８５％エタノールと１５％水、約８０％エタノールと２０％水、約７５％エタノールと２５％水、約７０％エタノールと３０％水、約６５％エタノールと３５％水、約６０％エタノールと４０％水、約５５％エタノールと４５％水、約５０％エタノールと５０％水、又は、他の比のエタノールと水であるエタノール希釈溶剤を導入することであってよい。代替的に、エタノールが希釈溶剤として導入される場合、４０％エタノールより大きい、５０％エタノールより大きい、５５％エタノールより大きい、６５％エタノールより大きい、７０％エタノールより大きい、７５％エタノールより大きい、８０％エタノールより大きい、８５％エタノールより大きい、９０％エタノールより大きい、又は、９５％エタノールより大きいエタノール濃度で、エタノールと水との混合物が導入されてよい。エタノールはまた、他の溶剤と様々な比で混合されてよい。本開示における具体的な説明は、本発明の範囲を限定するものとして考えられるべきではない。図１１、１２ａ、１２ｂ、１３、１４、１５、１６および１７に示される実施形態の要素は、それらを説明する本文に記載された他の要素と共に、又は、本開示の任意の他の部分から本文に記載された、又は図に示された要素は、システム内で異なる順番に再配置されてよく、他の複数の実施形態において説明される異なる要素と組み合わされてよく、並列に又は直列に繰り返されてよく、又は、いくつかの実施形態において完全に取り除かれてよい。非限定的な例として、異なる熱交換器およびヒータが用いられてよく、構成要素が周辺に移動されてよく、様々な構成要素の機能が１つの構造に纏められてよく、又は、一構成要素の機能がいくつかの構成要素間で分割されてもよい。更に、図１１、１２ａ、１２ｂ、１３、１４、１５、１６および１７における要素の配置および構成は、説明を簡潔にするためのものであり、これに限定されない。一例として、揮発室７は底部入口および上部出口として示されているが、入口および出口の位置は他の箇所であってもよい。ガスストリーム・コンデンサ／クーラ５０および静電収集器８４は、いくつかの実施形態において、同一の部分に纏められてよいことは留意すべきである。ガスストリーム・ヒータ２は、水蒸気又は加熱された流体に代わって、電気式加熱素子を動力としてよいこともまた留意されるべきである。他の凝縮器の設計が用いられてもよい。図１１、１２ａ、１２ｂ、１３、１４、１５、１６および１７および付随する本文で説明されるいずれの構成要素も、同様のコンポーネントが本開示、ＰＣＴ／ＩＢ２０１４／００２３８３内の他の複数の実施形態において説明される任意の方式で、又は一般的に当業者に公知である他の方式で、修正されてもよい。追加的に、いくつかの場合においては、図１１、１２ａ、１２ｂ、１３、１４、１５、１６および１７の実施形態をオープンシステムとして動作させることが有利であってよい。図１１、１２ａ、１２ｂ、１３、１４、１５、１６および１７に示される実施形態がオープンシステムとして動作される場合、最後の油滴分離器／収集デバイス（８３、１９、８４、８５、又は８２）の後、かつ、ヒータ２の前で、システムがオープンであることが好ましい。
【０１２９】
いくつかの態様において、本開示は植物材料から油を抽出する方法に関する。方法は、植物材料から油を抽出するシステムを提供する段階を含んでよい。システムは、システム全体にガスストリームを行き渡らせるよう動作可能なガス移動デバイスを含んでよい。システムは、ガスストリームが抽出室を通るよう方向付けられるように、ガス移動デバイスと連通する抽出室を含んでよい。システムは、ガスストリームが凝縮面を向くように、ガス移動デバイスと連通する凝縮面を含んでよい。
【０１３０】
ガス移動デバイスは、遠心分離器であってもよく、又は、そうでなくてもよい。ガスムーバは、圧縮空気タンク、又は、液体窒素等の液化ガスを含んでもよく、又は、含まなくてもよい。
【０１３１】
凝縮面は、油の収集を可能にするために、表面に沿って油の一部が流れるよう構成される表面であってよい。凝縮面はそれゆえ、油の一部が流れるようにする化学的および／又は機械的な特性を含んでよい。油の一部が流れるようにする凝縮面により、既存のシステムに対する利点が提供される。なぜならば、それにより、使用する溶剤がより少ない方法を可能にするからである。
【０１３２】
システムは、遠心分離器を含んでよく、遠心分離器は凝縮面を含んでよい。遠心分離器は、システムのガス移動デバイスであってもよく、又は、そうでなくてもよい。遠心分離器は、例えば、少なくとも１つのブレードと１つの回転軸とを、少なくとも１つのブレードが当該軸を中心に回転するように含んでよく、又は、遠心分離器はブレードを全く有しないデバイスを含んでよい。方法は更に、当該軸を中心にブレードを回転する段階を含んでよい。凝縮面は、少なくとも１つのブレードを含んでよく、および／又は、分離器のハウジング等の、ブレード以外の遠心分離器の表面を含んでよい。ガスストリームを凝縮面に接触させることにより、油の一部をブレード、ハウジング、および／又は、遠心分離器の他の表面上に集まらせてよい。方法は更に、油の一部が流れることに対する抵抗より大きな遠心力をもたらす温度と角速度との両方に、少なくとも１つのブレードを維持する段階を備えてよい。軸を中心とするブレードの回転は、それにより油の一部を流して油が収集され得るようにする、機械的な力を提供してよい。
【０１３３】
いくつかの実施形態において、凝縮面は遠心分離器のブレードを含まない。例えば、システムが、ブレードを有さない遠心分離器を含んでよく、又は、システムが、１又は複数のブレードを有する遠心分離器を含んでよく、当該凝縮面は当該１又は複数のブレードを有さない。
【０１３４】
システムは、油の一部が流れるように加熱され、および／又は角度がつけられた凝縮面を含んでよい。方法は、油の一部が流れることに対する抵抗より大きな重力の平行成分をもたらす角度および温度に、凝縮面を維持する段階を含んでよい。凝縮面には、重力に対して約−９０°〜約９０°の角度がつけられてよく、例えば、約−９０°〜約−７０°、約−８０°〜約−６０°、約−７０°〜約−５０°約−６０°〜約−４０°、約−５０°〜約−３０°、約−４０°〜約−２０°、約−３０°〜約−１０°、約−２０°〜約０°、約−１０°〜約１０°、約０°〜約２０°、約１０°〜約３０°、約２０°〜約４０°、約３０°〜約５０°、約４０°〜約６０°、約５０°〜約７０°、約６０°〜約８０°、又は、約７０°〜約９０°等である。０°未満〜約−９０°までの表面は天井であり、０°の表面は重力に平行な壁であり、０°より大きく９０°未満の表面は傾斜面である。凝縮面は、重力に対して、約−９０°〜約６０°、約０°〜約６０°、約０°〜約４５°、又は約−４５°〜約４５°の角度がつけられてよい。
【０１３５】
凝縮面は、静電荷を含んでよい。静電荷は、ガスストリームから油の一部を捕集し取り除くのに十分であってよい。方法は更に、油を揮発させた後、ガスストリームに混入した油の一部を油滴に凝縮する段階を備えてよい。いくつかの実施形態において、方法は、静電荷（例えば、凝縮面の電荷と逆の電荷）を油滴に帯電させる段階を含む。ガスストリームを凝縮面に接触させる段階は、帯電油滴を凝縮面に接触させる段階を含んでよい。
【０１３６】
凝縮面は、フィルタ媒体と、および／又は防曇パッドとを含んでよい。フィルタ媒体および／又は防曇パッドは、ガスストリームから油の一部を捕集および取り除くために十分であり得る。方法は更に、油を揮発させた後、ガスストリームに混入した油の一部を油滴に凝縮する段階を含んでよい。
【０１３７】
いくつかの実施形態において、凝縮面、遠心分離器、遠心捕集デバイス、遠心ガスストリーム・ムーバ、静電収集器、フィルタ部、凝縮器、および／又は、ガスストリーム・クーラの温度は、約１００°Ｆ〜約３００°Ｆ（約３７．７７８℃〜約１４８．８８９℃）、約１１０°Ｆ〜約２８９°Ｆ（約４３．３３３℃〜約１４２．７７８℃）、約１２０°Ｆ〜約２８０°Ｆ（約４８．８８９℃〜約１３７．７７８℃）、約１２０°Ｆ〜約１５０°Ｆ（約４８．８８９℃〜約６５．５５６℃）、約２９０°Ｆ〜約３１４°Ｆ（約１４３．３３３℃〜約１５６．６６７℃）、約３１６°Ｆ〜約３５５°Ｆ（約１５７．７７８℃〜約１７９．４４４℃）、約３２０°Ｆ〜約３４０°Ｆ（約１６０．０００℃〜約１７１．１１１℃）、約３５７°Ｆ〜約３６４°Ｆ（約１８０．５５６℃〜約１８４．４４４℃）、又は、約３６６°Ｆ〜約４２７°Ｆ（約１８５．５５６℃〜約２１９．４４４℃）である。凝縮面、遠心分離器、遠心捕集デバイス、遠心ガスストリーム・ムーバ、静電収集器、フィルタ部、凝縮器、および／又は、ガスストリーム・クーラの温度は、約１００°Ｆ〜約３１５°Ｆ（約３７．７７８℃〜約１５７．２２２℃）、約１００°Ｆ〜約２１２°Ｆ（約３７．７７８℃〜約１００．０００℃）、又は約１２０°Ｆ〜約３１５°Ｆ（約４８．８８９℃〜約１５７．２２２℃）であってよい。凝縮面、遠心分離器、遠心捕集デバイス、遠心ガスストリーム・ムーバ、静電収集器、フィルタ部、凝縮器、および／又は、ガスストリーム・クーラの温度は、約１００°Ｆ〜約１４０°Ｆ（約３７．７７８℃〜約６０．０００℃）、約１２０°Ｆ〜約１６０°Ｆ（約４８．８８９℃〜約７１．１１１℃）、約１４０°Ｆ〜約１８０°Ｆ（約６０．０００℃〜約８２．２２２℃）、約１６０°Ｆ〜約２００°Ｆ（約７１．１１１℃〜約９３．３３３℃）、約１８０°Ｆ〜約２２０°Ｆ（約８２．２２２℃〜約１０４．４４４℃）、約２００°Ｆ〜約２４０°Ｆ（約９３．３３３℃〜約１１５．５５６℃）、約２２０°Ｆ〜約２６０°Ｆ（約１０４．４４４℃〜約１２６．６６７℃）、約２４０°Ｆ〜約２８０°Ｆ（約１１５．５５６℃〜約１３７．７７８℃）、約２６０°Ｆ〜約３００°Ｆ（約１２６．６６７℃〜約１４８．８８９℃）、約２８０°Ｆ〜約３２０°Ｆ（約１３７．７７８℃〜約１６０．０００℃）、約３００°Ｆ〜約３４０°Ｆ（約１４８．８８９℃〜約１７１．１１１℃）、約３２０°Ｆ〜約３６０°Ｆ（約１６０．０００℃〜約１８２．２２２℃）、約３４０°Ｆ〜約３８０°Ｆ（約１７１．１１１℃〜約１９３．３３３℃）、約３６０°Ｆ〜約４００°Ｆ（約１８２．２２２℃〜約２０４．４４４℃）、約３８０°Ｆ〜約４２０°Ｆ（約１９３．３３３℃〜約２１５．５５６℃）、又は約４００°Ｆ〜約４４０°Ｆ（約２０４．４４４℃〜約２２６．６６７℃）であり得る。
【０１３８】
システムが１より多くの凝縮面又は収集面を含んでよく、１つの凝縮面又は収集面が他の凝縮面又は収集面とは異なる温度に維持されてよい。そのような実施形態において、以下に示される温度範囲のいずれかが、異なるコンポーネントと交換可能に用いられてよい。非限定的な例として、凝縮器／ガスストリーム・クーラ部５０の温度を、遠心収集デバイス部８３、遠心ガスストリーム・ムーバ収集部１９、静電収集部８４、または、フィルタ収集部８５より高温の範囲に維持することが好ましい場合があり、いくつかの場合においては、凝縮器／ガスストリーム・クーラ部５０の温度を、遠心収集デバイス部８３、遠心ガスストリーム・ムーバ収集部１９、静電収集部８４、または、フィルタ収集部８５よりも低い温度範囲に維持することが好ましい場合がある。 
【０１３９】
一般に、図１１、１２ａ、１２ｂ、１３、１４、１５、１６および図１７に示される実施形態の収集面を、収集面のそれぞれから収集された油が流れ出ることが可能なように十分に高温に維持することが望ましい。いくつかの場合においては、揮発油を小さなおよび又は微小な液滴に効率的に析出することを容易にし、遠心分離デバイス又は遠心ガスストリーム・ムーバで除去することを容易にするために、ガスストリーム・クーラ／凝縮器がより冷たく保持されることが望ましい場合がある。そのような場合、ガスストリーム・クーラの表面を約−１００°Ｆ〜約−５０°Ｆ（約−７３．３３３℃〜約−４５．５５６℃）、約−５０°Ｆ〜約−２５°Ｆ（約−４５．５５６℃〜約−３１．６６７℃）、約−２５°Ｆ〜約０°Ｆ（約−３１．６６７℃〜約−１７．７７８℃）、約０°Ｆ〜約２５°Ｆ（約−１７．７７８℃〜約−３．８８９℃）、約２５°Ｆ〜約５０°Ｆ（約−３．８８９℃〜約１０．０００℃）、約５０°Ｆ〜約７５°Ｆ（約１０．０００℃〜約２３．８８９℃）、又は約７５°Ｆ〜約１００°Ｆ（約２３．８８９℃〜約３７．７７８℃）に、または、望ましい場合は他の温度に維持することが望ましい場合がある。遠心収集デバイス部８３、遠心ガスストリーム・ムーバ収集部１９、静電収集部８４、または、フィルタ収集部８５は、能動的加熱を通して、動作中に、より温かい温度（例えば、説明された温度範囲より温いもののうちの１つ）に維持され得るか、または、クーラを通過した後、ガスストリームの温度をとることが許容され、次に、動作中または動作後に間欠的に加熱され、収集された油の除去を促進し得る。追加的に、ガスストリーム・クーラが、冷たすぎて流れない油を収集していることが確認された場合は、ガスストリーム・クーラはまた、動作中又は動作後に間欠的に加熱され、収集された油がガスストリーム・クーラ／凝縮器部５０から流れ出るようにしてよい。
【０１４０】
方法は、凝縮面の温度を約１００°Ｆ〜約３００°Ｆ（約３７．７７８℃〜約１４８．８８９℃）、約１１０°Ｆ〜約２８９°Ｆ（約４３．３３３℃〜約１４２．７７８℃）、約１２０°Ｆ〜約２８０°Ｆ（約４８．８８９℃〜約１３７．７７８℃）、約１２０°Ｆ〜約１５０°Ｆ（約４８．８８９℃〜約６５．５５６℃）、約２９０°Ｆ〜約３１４°Ｆ（約１４３．３３３℃〜約１５６．６６７℃）、約３１６°Ｆ〜約３５５°Ｆ（約１５７．７７８℃〜約１７９．４４４℃）、約３２０°Ｆ〜約３４０°Ｆ（約１６０．０００℃〜約１７１．１１１℃）、約３５７°Ｆ〜約３６４°Ｆ（約１８０．５５６℃〜約１８４．４４４℃）、又は、約３６６°Ｆ〜約４２７°Ｆ（約１８５．５５６℃〜約２１９．４４４℃）に維持する段階を含んでよい。いくつかの実施形態において、方法は凝縮面の温度を約１００°Ｆ〜約３１５°Ｆ、約１００°Ｆ〜約２１２°Ｆ、または、約１２０°Ｆ〜約３１５°  Ｆに維持する段階を含む。方法は、凝縮面の温度を約１００°Ｆ〜約１４０°Ｆ（約３７．７７８℃〜約６０．０００℃）、約１２０°Ｆ〜約１６０°Ｆ（約４８．８８９℃〜約７１．１１１℃）、約１４０°Ｆ〜約１８０°Ｆ（約６０．０００℃〜約８２．２２２℃）、約１６０°Ｆ〜約２００°Ｆ（約７１．１１１℃〜約９３．３３３℃）、約１８０°Ｆ〜約２２０°Ｆ（約８２．２２２℃〜約１０４．４４４℃）、約２００°Ｆ〜約２４０°Ｆ（約９３．３３３℃〜約１１５．５５６℃）、約２２０°Ｆ〜約２６０°Ｆ（約１０４．４４４℃〜約１２６．６６７℃）、約２４０°Ｆ〜約２８０°Ｆ（約１１５．５５６℃〜約１３７．７７８℃）、約２６０°Ｆ〜約３００°Ｆ（約１２６．６６７℃〜約１４８．８８９℃）、約２８０°Ｆ〜約３２０°Ｆ（約１３７．７７８℃〜約１６０．０００℃）、約３００°Ｆ〜約３４０°Ｆ（約１４８．８８９℃〜約１７１．１１１℃）、約３２０°Ｆ〜約３６０°Ｆ（約１６０．０００℃〜約１８２．２２２℃）、約３４０°Ｆ〜約３８０°Ｆ（約１７１．１１１℃〜約１９３．３３３℃）、約３６０°Ｆ〜約４００°Ｆ（約１８２．２２２℃〜約２０４．４４４℃）、約３８０°Ｆ〜約４２０°Ｆ（約１９３．３３３℃〜約２１５．５５６℃）、又は約４００°Ｆ〜約４４０°Ｆ（約２０４．４４４℃〜約２２６．６６７℃）に維持する段階を含んでよい。
【０１４１】
いくつかの場合においては、好ましい方法は、一部の凝縮面又は収集面を他の凝縮面又は収集面とは異なる温度で保持することであってよい。そのような場合において、以下に示される温度範囲のいずれかが、異なるコンポーネントと交換可能に用いられてよい。非限定的な例として、凝縮器／ガスストリーム・クーラ部５０の温度を、遠心収集デバイス部８３、遠心ガスストリーム・ムーバ収集部１９、静電収集部８４、または、フィルタ収集部８５より高温の範囲に維持することが好ましい場合があり、いくつかの場合においては、凝縮器／ガスストリーム・クーラ５０の温度を、遠心収集デバイス部８３、遠心ガスストリーム・ムーバ収集部１９、静電収集部８４、または、フィルタ収集部８５よりも低い温度範囲に維持することが好ましい場合がある。
【０１４２】
いくつかの実施形態において、油を含むガスストリームを冷却する段階は、ガスストリームを、凝縮面の温度よりも、少なくとも約５°Ｆ（−１５．０００℃）、１０°Ｆ（−１２．２２２℃）、１５°Ｆ（−９．４４４℃）、２０°Ｆ（−６．６６７℃）、２５°Ｆ（−３．８８９℃）、３０°Ｆ（−１．１１１℃）、３５°Ｆ（１．６６７℃）、４０°Ｆ（４．４４４℃）、４５°Ｆ（７．２２２℃）、又は５０°Ｆ（１０．０００℃）だけ低い温度に冷却する段階を含む。 ガスストリームの比較的低い温度は、ガスの凝縮を助けてよく、一方、凝縮面の比較的高い温度は、油が収集されるのに十分なほどの流体状態でいることを確実にするのを助けてよい。同様に、いくつかの実施形態において、油を含むガスストリームを冷却する段階は、ガスストリームを凝縮面の温度よりも、少なくとも約５°Ｆ（−１５．０００℃）、１０°Ｆ（−１２．２２２℃）、１５°Ｆ（−９．４４４℃）、２０°Ｆ（−６．６６７℃）、２５°Ｆ（−３．８８９℃）、３０°Ｆ（−１．１１１℃）、３５°Ｆ（１．６６７℃）、４０°Ｆ（４．４４４℃）、４５°Ｆ（７．２２２℃）、又は５０°Ｆ（１０．０００℃）だけ高い温度に冷却する段階を含む。ガスストリームの比較的高い温度は、凝縮面に接触する前に油が凝縮しないことを確実することを助けてよい。依然、いくつかの実施形態において、油を含むガスストリームを、凝縮面の温度とおよそ同一の温度まで冷却することが好ましい場合がある。
【０１４３】
方法が凝縮面の温度を変更することを含んでよい。例えば、方法は、凝縮面の温度を上昇させる段階を含んでよい。油の一部が流れることに対する抵抗を減らすために、例えば、油が凝縮面から収集される流量を増やすために、温度は上げられてよい。例えば、凝縮面上で蓄積される油に応答して、温度は上げられてよい。同様に、方法は、凝縮面の温度を低下させる段階を含んでよい。例えば、凝縮面がガスストリームから油の一部を捕集して取り除く流量を増やすために、温度は下げられてよい。
【０１４４】
方法は、抽出室に植物材料を提供する段階と、ガスストリームを抽出室に行き渡らせる段階と、油が植物材料からガスストリーム内に抽出されるよう、植物材料から油を揮発させる段階とを含んでよい。いくつかの実施形態において、方法は、油を含むガスストリームを冷却する段階と、油を含むガスストリームを凝縮面に行き渡らせる段階とを含んでよい。方法は、ガスストリームを凝縮面に接触させる段階であって、それによりガスストリームから油の一部を捕集して取り除く段階を含んでよい。いくつかの実施形態において、方法は、凝縮面から油の一部を収集する段階であって、それにより収集された油を生成する段階を含んでよい。
【０１４５】
一部の態様において、ガスストリームは、約３０重量％、約２５重量％、約２０重量％、約１５重量％、約１０重量％、約９重量％、約８重量％、約７重量％、約６重量％、約５重量％、約４重量％、約３重量％、約２重量％、または、約１重量％未満の溶剤蒸気を含んでよい。 ガスストリームは、ガスストリームを抽出室に行き渡らせる前に、ガスストリームを抽出室に行き渡われた後に、油を揮発させる前に、油を揮発させた後に、ガスストリームを冷却する前に、ガスストリームを冷却した後に、ガスストリームを凝縮面に接触させる前に、ガスストリームを凝縮面に接触させた後に、油の一部を収集する前に、および／又は、油の一部を収集した後に、約３０重量％、約２５重量％、約２０重量％、約１５重量％、約１０重量％、約９重量％、約８重量％、約７重量％、約６重量％、約５重量％、約４重量％、約３重量％、約２重量％、または、約１重量％未満の溶剤蒸気を含んでよい。
【０１４６】
一部の態様において、ガスストリームから捕集され取り除かれる油の一部は、約３０重量％、約２５重量％、約２０重量％、約１５重量％、約１０重量％、約９重量％、約８重量％、約７重量％、約６重量％、約５重量％、約４重量％、約３重量％、約２重量％、または、約１重量％未満の溶剤蒸気を含んでよい。ガスストリームから捕集され取り除かれる油の一部は、ガスストリームを凝縮面に接触させた後に、油の一部を収集する前に、および／又は、油の一部を収集した後に、約３０重量％、約２５重量％、約２０重量％、約１５重量％、約１０重量％、約９重量％、約８重量％、約７重量％、約６重量％、約５重量％、約４重量％、約３重量％、約２重量％、または、約１重量％未満の溶剤蒸気を含んでよい。 一部の態様において、収集された油は、約３０重量％、約２５重量％、約２０重量％、約１５重量％、約１０重量％、約９重量％、約８重量％、約７重量％、約６重量％、約５重量％、約４重量％、約３重量％、約２重量％、または、約１重量％未満の溶剤蒸気を含んでよい。
【０１４７】
いくつかの実施形態において、より高い比の希釈溶剤を導入し、収集された油を希釈して、収集された油がシステムを出ていけないほどに厚くなりすぎるのを防止することが有利であり得ることは留意すべきである。そのような実施形態において、溶剤と油との比は、必要とされる比よりもずっと高くまで上げられてよい。
【０１４８】
一部の態様において、ガスストリームから捕集され取り除かれる油の一部は、希釈溶剤と油との比が、約２５：１〜２０：１、約２０：１〜１５：１、約１５：１〜約１０：１、約１０：１、約９：１、約８：１、約７：１、約６：１、約５：１、約４：１、約３：１、約２：１、約１：１であるものを含んでよい。ガスストリームから捕集され取り除かれる油の一部は、ガスストリームを凝縮面に接触させた後に、油の一部を収集する前に、および／又は、油の一部を収集した後に、溶剤と油との比が約２５：１〜２０：１、約２０：１〜１５：１、約１５：１〜約１０：１、約１０：１、約９：１、約８：１、約７：１、約６：１、約５：１、約４：１、約３：１、約２：１、約１：１であるものを含んでよい。一部の態様において、収集された油は、希釈溶剤と油との比が約２５：１〜２０：１、約２０：１〜１５：１、約１５：１〜約１０：１、約１０：１、約９：１、約８：１、約７：１、約６：１、約５：１、約４：１、約３：１、約２：１、約１：１であってよい。
【０１４９】
一部の態様において、ガスストリームは、希釈溶剤と油との比が、約２５：１〜２０：１、約２０：１〜１５：１、約１５：１〜約１０：１、約１０：１、約９：１、約８：１、約７：１、約６：１、約５：１、約４：１、約３：１、約２：１、約１：１であってよい。ガスストリームは、ガスストリームを抽出室に行き渡らせる前に、ガスストリームを抽出室に行き渡われた後に、油を揮発させる前に、油を揮発させた後に、ガスストリームを冷却する前に、ガスストリームを冷却した後に、ガスストリームを凝縮面に接触させる前に、ガスストリームを凝縮面に接触させた後に、油の一部を収集する前に、および／又は、油の一部を収集した後に、溶剤と油との比が、約２５：１〜２０：１、約２０：１〜１５：１、約１５：１〜約１０：１、約１０：１、約９：１、約８：１、約７：１、約６：１、約５：１、約４：１、約３：１、約２：１、約１：１であってよい。ガスストリーム、油の一部、および／又は収集された油は殆ど溶剤を含まなくてよい、および／又は、ガスストリーム、油の一部、又は収集された油は実質的に溶剤を含まなくてよい。「実質的に含まない」は、ガスストリーム、油の一部、および／又は収集された油は最初の材料（例えば、植物材料およびガスストリーム）からの不可避な不純物を含み得るが、そうでなければ、ガスストリーム、油の一部、又は収集された油は溶剤フリーである、ということを意味する。いくつかの実施形態において、ガスストリーム、油の一部、および／又は収集された油は溶剤を含まない。ガスストリーム、油の一部、および／又は収集された油は、実質的にイソブタン、エタノール、および／又はクロロホルムを含まなくてよい。
【０１５０】
いくつかの実施形態において、ガスストリームを凝縮面に接触させる段階は、油の蒸気を凝縮面に接触させる段階を含む。ガスストリームを凝縮面に接触させることにより、油の一部が凝縮面上で凝縮し得る。
【０１５１】
いくつかの実施形態において、方法は更に、ガスストリームを冷却後にガスストリームに混入した油滴に油の一部を凝縮させる段階を備える。ガスストリームを凝縮面に接触させる段階は、油滴を凝縮面に接触させる段階を含んでよく、これにより、油滴が凝縮面上に集まる。
【０１５２】
ガスストリームを冷却する段階は、ガスストリームを１００°Ｆ〜約３００°Ｆ（約３７．７７８℃〜約１４８．８８９℃）、約１１０°Ｆ〜約２８９°Ｆ（約４３．３３３℃〜約１４２．７７８℃）、約１２０°Ｆ〜約２８０°Ｆ（約４８．８８９℃〜約１３７．７７８℃）、約１２０°Ｆ〜約１５０°Ｆ（約４８．８８９℃〜約６５．５５６℃）、約２９０°Ｆ〜約３１４°Ｆ（約１４３．３３３℃〜約１５６．６６７℃）、約３１６°Ｆ〜約３５５°Ｆ（約１５７．７７８℃〜約１７９．４４４℃）、約３２０°Ｆ〜約３４０°Ｆ（約１６０．０００℃〜約１７１．１１１℃）、約３５７°Ｆ〜約３６４°Ｆ（約１８０．５５６℃〜約１８４．４４４℃）、又は、約３６６°Ｆ〜約４２７°Ｆ（約１８５．５５６℃〜約２１９．４４４℃）に冷却する段階を含んでよい。いくつかの実施形態において、ガスストリームを冷却する段階は、ガスストリームを、約９８．６°Ｆ〜約３１４．６°Ｆ（約３７．０００℃〜約１５７．０００℃）、約９８．６°Ｆ〜約２１２．０°Ｆ（約３７．０００℃〜約１００．０００℃）、又は約１２２．０°Ｆ〜約３１４．６°Ｆ（約５０．０００℃〜約１５７．０００℃）まで冷却する段階を含む。ガスストリームを冷却する段階は、ガスストリームを、約１００°Ｆ〜約１４０°Ｆ（約３７．７７８℃〜約６０．０００℃）、約１２０°Ｆ〜約１６０°Ｆ（約４８．８８９℃〜約７１．１１１℃）、約１４０°Ｆ〜約１８０°Ｆ（約６０．０００℃〜約８２．２２２℃）、約１６０°Ｆ〜約２００°Ｆ（約７１．１１１℃〜約９３．３３３℃）、約１８０°Ｆ〜約２２０°Ｆ（約８２．２２２℃〜約１０４．４４４℃）、約２００°Ｆ〜約２４０°Ｆ（約９３．３３３℃〜約１１５．５５６℃）、約２２０°Ｆ〜約２６０°Ｆ（約１０４．４４４℃〜約１２６．６６７℃）、約２４０°Ｆ〜約２８０°Ｆ（約１１５．５５６℃〜約１３７．７７８℃）、約２６０°Ｆ〜約３００°Ｆ（約１２６．６６７℃〜約１４８．８８９℃）、約２８０°Ｆ〜約３２０°Ｆ（約１３７．７７８℃〜約１６０．０００℃）、約３００°Ｆ〜約３４０°Ｆ（約１４８．８８９℃〜約１７１．１１１℃）、約３２０°Ｆ〜約３６０°Ｆ（約１６０．０００℃〜約１８２．２２２℃）、約３４０°Ｆ〜約３８０°Ｆ（約１７１．１１１℃〜約１９３．３３３℃）、約３６０°Ｆ〜約４００°Ｆ（約１８２．２２２℃〜約２０４．４４４℃）、約３８０°Ｆ〜約４２０°Ｆ（約１９３．３３３℃〜約２１５．５５６℃）、又は約４００°Ｆ〜約４４０°Ｆ（約２０４．４４４℃〜約２２６．６６７℃）まで冷却する段階を含んでよい。ガスストリームを冷却する段階は、ガスストリームを、約−１００°Ｆ〜約−５０°Ｆ（約−７３．３３３℃〜約−４５．５５６℃）、約−５０°Ｆ〜約−２５°Ｆ（約−４５．５５６℃〜約−３１．６６７℃）、約−２５°Ｆ〜約０°Ｆ（約−３１．６６７℃〜約−１７．７７８℃）、約０°Ｆ〜約２５°Ｆ（約−１７．７７８℃〜約−３．８８９℃）、約２５°Ｆ〜約５０°Ｆ（約−３．８８９℃〜約１０．０００℃）、約５０°Ｆ〜約７５°Ｆ（約１０．０００℃〜約２３．８８９℃）、又は約７５°Ｆ〜約１００°Ｆ（約２３．８８９℃〜約３７．７７８℃）まで冷却する段階を含んでよい。
【０１５３】
方法は、ガスストリームおよび／又は抽出室を、油の一部の少なくとも１つの分子の沸点より高い温度まで加熱する段階を更に備えてよく、例えば、それにより揮発を容易にする。そのような温度は、例えば、約３１５°Ｆ（約１５７．２２２℃）、約３５６°Ｆ（約１８０．０００℃）、約４２８°Ｆ（約２２０．０００℃）であってよい。沸点よりも高い温度は、約３００°Ｆ（約１４８．８８９℃）、約３０５°Ｆ（約１５１．６６７℃）、約３１０°Ｆ（約１５４．４４４℃）、約３１５°Ｆ（約１５７．２２２℃）、約３２０°Ｆ（約１６０．０００℃）、約３２５°Ｆ（約１６２．７７８℃）、約３３０°Ｆ（約１６５．５５６℃）、約３３５°Ｆ（約１６８．３３３℃）、約３４０°Ｆ（約１７１．１１１℃）、約３４５°Ｆ（約１７３．８８９℃）、約３５０°Ｆ（約１７６．６６７℃）、約３５５°Ｆ（約１７９．４４４℃）、約３６０°Ｆ（約１８２．２２２℃）、約３６５°Ｆ（約１８５．０００℃）、約３７０°Ｆ（約１８７．７７８℃）、約３７５°Ｆ（約１９０．５５６℃）、約３８０°Ｆ（約１９３．３３３℃）、約３８５°Ｆ（約１９６．１１１℃）、約３９０°Ｆ（約１９８．８８９℃）、約３９５°Ｆ（約２０１．６６７℃）、約４００°Ｆ（約２０４．４４４℃）、約４０５°Ｆ（約２０７．２２２℃）、約４１０°Ｆ（約２１０．０００℃）、約４１５°Ｆ（約２１２．７７８℃）、約４２０°Ｆ（約２１５．５５６℃）、約４２５°Ｆ（約２１８．３３３℃）、約４３０°Ｆ（約２２１．１１１℃）、約４３５°Ｆ（約２２３．８８９℃）、約４４０°Ｆ（約２２６．６６７℃）、約４４５°Ｆ（約２２９．４４４℃）、約４５０°Ｆ（約２３２．２２２℃）、又は約４６０°Ｆ（約２３７．７７８℃）であってよい。いくつかの実施形態において、少なくとも１つの分子は、カンナビジオール（ＣＢＤ）、カンナビディバリン（ＣＢＤＶ）、カンナビゲロール（ＣＢＧ）、デルタ−９−テトラヒドロカンナビノール（ＴＨＣ）、デルタ−８−テトラヒドロカンナビノール、テトラヒドロカンナビバリン（ＴＨＣＶ）、カンナビノール（ＣＢＮ）、カンナビゲロール、カンナビクロメン、化学的に変換されたカンナビノイド、任意の他のカンナビノイド、任意の他のテルペンまたはテルペノイド、リナロール、カリオフィレン、ミルセン、リモネン、フムレン、および／又は、ピネンを含んでよい。
【０１５４】
植物材料はヘンプ又はカンナビスを含んでよい。例えば、植物材料は、カンナビス・サティヴァ、カンナビス・インディカ、カンナビス・ルデラリス、カンナビスの種または科を交雑したもの、又は上記の２つ又はそれより多くの組み合わせを含んでよい。
【０１５５】
いくつかの実施形態において、油の一部および／又は収集された油は、カンナビジオール（ＣＢＤ）、カンナビディバリン（ＣＢＤＶ）、カンナビゲロール（ＣＢＧ）、デルタ−９−テトラヒドロカンナビノール（ＴＨＣ）、デルタ−８−テトラヒドロカンナビノール、テトラヒドロカンナビバリン（ＴＨＣＶ）、カンナビノール（ＣＢＮ）、カンナビゲロール、カンナビクロメン、化学的に変換されたカンナビノイド、任意の他のカンナビノイド、任意の他のテルペンまたはテルペノイド、リナロール、カリオフィレン、ミルセン、リモネン、フムレン、ピネン、又は上記の２つ又はそれより多くの組み合わせを含む。例えば、油の一部および／又は収集された油は、例えば、少なくとも約１０％、１５％、２０％、２５％、３０％、３５％、４０％、４５％、５０％、５５％、６０％、６５％、７０％、７５％、８０％、８５％、９０％、９５％、又は約９９％の重量パーセントで、デルタ−９−テトラヒドロカンナビノール（ＴＨＣ）を含んでよい。油の一部および／又は収集された油は、例えば、少なくとも約１０％、１５％、２０％、２５％、３０％、３５％、４０％、４５％、５０％、５５％、６０％、６５％、７０％、７５％、８０％、８５％、９０％、９５％、又は約９９％の重量パーセントで、カンナビジオール（ＣＢＤ）を含んでよい。
【０１５６】
本明細書内で説明されている本発明の実施形態は、本発明の範囲又は教示から逸脱することなく、他の方式に変更されてよいことが当業者には認識されるだろう。そのように、本開示は広く解釈されるべきである。
【図１】
2019518590.tif 000003
【図２】
2019518590.tif 000004
【図３】
2019518590.tif 000005
【図４】
2019518590.tif 000006
【図５】
2019518590.tif 000007
【図６】
2019518590.tif 000008
【図７】
2019518590.tif 000009
【図８ａ】
2019518590.tif 000010
【図８ｂ】
2019518590.tif 000011
【図９】
2019518590.tif 000012
【図１０】
2019518590.tif 000013
【図１１】
2019518590.tif 000014
【図１２ａ】
2019518590.tif 000015
【図１２ｂ】
2019518590.tif 000016
【図１３】
2019518590.tif 000017
【図１４】
2019518590.tif 000018
【図１５】
2019518590.tif 000019
【図１６】
2019518590.tif 000020
【図１７】
2019518590.tif 000021
【国際調査報告】
2019518590.tif 000022
2019518590.tif 000023